(57)【特許請求の範囲】
【請求項１】
他の通信装置と第一の範囲で第一の通信方式による通信を行うための通信部と、
前記第一の範囲とは異なる第二の範囲内で第一の情報を検知する検知部と、
前記検知部が前記第一の情報を検知した場合、ユーザが自装置に対して行う動作を検知する第二の検知部と、
前記第二の検知部が検知した前記動作に対応する、前記通信部による通信を行うことを許可するか否かを判断するために生成された許可判断データである自装置の振り方を示すアニメーション情報、音声情報、文字情報、又はパターン画像を送信する送信部と、
前記送信部が送信した前記許可判断データに基づいて前記通信部による通信を行うことが許可された場合に送信されてくる設定情報を、前記他の通信装置との前記第一の通信方式による通信を確立するための設定情報として取得する設定情報取得部と、
を備え、
前記通信部は、前記他の通信装置と前記第二の範囲内で前記設定情報を用いて前記第一の通信方式による通信を行う、
ことを特徴とする通信装置。
【請求項２】
前記第二の検知部は、ユーザが自装置に対して行う動作に基づいて前記動作に対応する前記許可判断データを生成する、
を備えることを特徴とする請求項１に記載の通信装置。
【請求項３】
前記設定情報を用いて前記他の通信装置との間の前記第一の通信方式による通信を確立する確立部と、
前記第二の範囲外に移動した際に、前記確立部で確立された前記他の通信装置との間の前記第一の通信方式による通信を切断する切断部と、
を備えることを特徴とする請求項１又は２に記載の通信装置。
【請求項４】
前記検知部は、前記第一の情報を、前記第二の範囲で通信可能な第二の通信方式による通信により検知する、
ことを特徴とする請求項１乃至３のいずれか１項に記載の通信装置。
【請求項５】
前記第二の通信方式による通信は、ＢＬＥ通信である、
ことを特徴とする請求項４に記載の通信装置。
【請求項６】
第一の通信方式により通信可能な第一の範囲とは異なる第二の範囲内で第一の情報を検知する検知部と、
前記第一の情報を検知した場合、前記検知部が検知した他の通信装置から取得した前記他の通信装置に対するユーザの動作に基づいて生成された許可判断データが、前記第一の通信方式による通信を行うことを許可する、所定の動作に対応する前記他の通信装置の振り方を示すアニメーション情報、音声情報、文字情報、又はパターン画像であった場合に、前記他の通信装置に前記第一の通信方式による通信を確立するための設定情報を前記第二の範囲内で送信する設定情報送信部と、
を備えることを特徴とする通信装置。
【請求項７】
前記検知部が前記第一の情報を検知すると、前記第一の通信方式による通信を確立するために前記他の通信装置に対する所定の動作をユーザに行わせる合図情報を前記他の通信装置に対して送信する送信部と、
前記送信部により送信された前記合図情報の応答として、前記他の通信装置から前記許可判断データを取得し、前記許可判断データが前記所定の動作を示すデータであるかの判断を判断装置に依頼する依頼部と、
を備え、
前記設定情報送信部は、前記判断装置により前記許可判断データが前記所定の動作を示すデータであると判断されると、前記他の通信装置に前記第一の通信方式による通信を確立するための設定情報を送信する、
ことを特徴とする請求項６に記載の通信装置。
【請求項８】
前記検知部が前記第一の情報を検知すると、前記他の通信装置のユーザに対して、前記第一の通信方式による通信を確立するための所定の動作のやり方を示す情報を提示する提示部と、
前記提示部に対する応答として、前記他の通信装置から前記許可判断データを取得し、前記許可判断データが前記所定の動作を示すデータであるかを判断する判断部と、
を更に備え、
前記設定情報送信部は、前記判断部により前記許可判断データが前記所定の動作を示すデータであると判断されると、前記他の通信装置に前記第一の通信方式による通信を確立するための設定情報を送信する、
ことを特徴とする請求項６に記載の通信装置。
【請求項９】
前記他の通信装置が、前記第二の範囲外に移動した際に、前記確立された前記他の通信装置との間の前記第一の通信方式による通信を切断する切断部と、
を備えることを特徴とする請求項６乃至８のいずれか１項に記載の通信装置。
【請求項１０】
第一の通信方式により通信可能な第一の範囲とは異なる第二の範囲内の他の通信装置の、該他の通信装置に対してユーザが行う動作により生成された所定の動作を示すデータである、前記第一の通信方式による通信を行うことを許可するか否かを判断するための許可判断データを取得する取得部と、
前記取得部で取得した前記許可判断データが前記第一の通信方式による通信を行うことを許可するデータであるかを判断する判断部と、
前記許可判断データが前記第一の通信方式による通信を行うことを許可するデータであると前記判断部が判断した場合に、前記他の通信装置の前記第一の通信方式による通信の確立を許可する許可部と、
を備え、
前記判断部は、前記許可判断データが前記第一の通信方式による通信を行うことを許可するデータであるかを、前記許可判断データである所定の動作を示すデータを自装置のユーザが確認できるように再生し、該ユーザから許可又は拒否を示す信号入力を受け付けることにより判断する、
ことを特徴とする通信装置。
【請求項１１】
前記許可判断データを前記通信装置の振り方を示すアニメーション情報、音声情報、文字情報、又はパターン画像とする、
ことを特徴とする請求項１０に記載の通信装置。
【請求項１２】
第一の通信方式により通信可能な第一の範囲とは異なる第二の範囲内で第一の情報を検知する検知部と、
前記検知部が前記第一の情報を検知した場合、ユーザが通信装置に対して行う動作を検知する第二の検知部と、
前記第二の検知部が検知した前記動作に対応する、前記通信装置による通信を行うことを許可するか否かを判断するために生成された許可判断データである所定の動作を示すデータを送信する送信部と、
前記検知部が前記第一の情報を検知した場合、前記送信部が送信した前記許可判断データが前記第一の通信方式による通信を行うことを許可するデータであるかを判断する判断部と、
前記判断部により前記許可判断データが前記第一の通信方式による通信を行うことを許可するデータであると判断されると、前記通信装置との前記第二の範囲内で前記第一の通信方式による通信を確立する通信確立部と、
を備え、
前記判断部は、前記許可判断データが前記第一の通信方式による通信を行うことを許可するデータであるかを、前記許可判断データである所定の動作を示すデータを自装置のユーザが確認できるように再生し、該ユーザから許可又は拒否を示す信号入力を受け付けることにより判断する、
ことを特徴とする通信システム。
【請求項１３】
第一の通信方式により通信可能な第一の範囲とは異なる第二の範囲内で第一の情報を検知する検知部と、
前記検知部が前記第一の情報を検知した場合、ユーザが通信装置に対して行う動作を検知する第二の検知部と、
前記第二の検知部が検知した前記動作に対応する、前記通信装置による通信を行うことを許可するか否かを判断するために生成された許可判断データである前記通信装置の振り方を示すアニメーション情報、音声情報、文字情報、又はパターン画像を送信する送信部と、
前記検知部が前記第一の情報を検知した場合、前記送信部が送信した前記許可判断データが前記第一の通信方式による通信を行うことを許可するデータであるかを判断する判断部と、
前記判断部により前記許可判断データが前記第一の通信方式による通信を行うことを許可するデータであると判断されると、前記通信装置との前記第二の範囲内で前記第一の通信方式による通信を確立する通信確立部と、
を備えることを特徴とする通信システム。
【請求項１４】
前記通信装置のユーザに前記所定の動作のやり方を示す情報を提示する提示部を更に備える、
ことを特徴とする請求項１２又は１３に記載の通信システム。
【請求項１５】
前記通信装置が前記第二の範囲外に移動した際に、前記通信確立部で確立された前記通信装置との間の前記第一の通信方式による通信を切断する切断部と、
を備えることを特徴とする請求項１２乃至１４のいずれか１項に記載の通信システム。
【請求項１６】
第一の通信方式により通信可能な第一の範囲とは異なる第二の範囲内で第一の情報を検知する検知機能と、
前記検知機能が前記第一の情報を検知すると、前記第一の通信方式による通信を確立するための通信装置に対する所定の動作をユーザに行わせる合図情報を前記通信装置に対して送信する送信機能と、
前記送信機能により送信された前記合図情報の応答として、前記通信装置から前記通信装置に対する前記ユーザの動作に基づいて生成された前記他の通信装置の振り方を示すアニメーション情報、音声情報、文字情報、又はパターン画像である許可判断データを取得し、前記許可判断データが前記第一の通信方式による通信を行うことを許可するデータであるかの判断を判断装置に依頼する依頼機能と、
前記判断装置により前記許可判断データが前記前記第一の通信方式による通信を行うことを許可するデータであると判断されると、前記通信装置に前記第一の通信方式による通信を確立するための設定情報を送信する設定情報送信機能と、
をコンピュータに実行させるためのプログラム。
【請求項１７】
第一の通信方式により通信可能な第一の範囲とは異なる第二の範囲内で第一の情報を検知する検知機能と、
前記検知機能が前記第一の情報を検知すると、通信装置のユーザに対して、前記第一の通信方式による通信を確立するための所定の動作のやり方を示す情報を提示する提示機能と、
前記提示機能に対する応答として、前記通信装置から前記通信装置に対するユーザの動作に基づいて生成された前記他の通信装置の振り方を示すアニメーション情報、音声情報、文字情報、又はパターン画像である許可判断データを取得し、前記許可判断データが前記所定の動作を示すデータであるかを判断する判断機能と、
前記判断機能により前記許可判断データが前記所定の動作を示すデータであると判断されると、前記通信装置に前記第一の通信方式による通信を確立するための設定情報を送信する設定情報送信機能と、
をコンピュータに実行させるためのプログラム。
【請求項１８】
第一の通信方式により通信可能な第一の範囲とは異なる第二の範囲内の通信装置の、該通信装置に対してユーザが行う動作により生成された所定の動作を示すデータである、前記第一の通信方式による通信を行うことを許可するか否かを判断するための許可判断データを取得する取得機能と、
前記許可判断データが前記第一の通信方式による通信を行うことを許可するデータであるかを、前記許可判断データである所定の動作を示すデータを自装置のユーザが確認できるように再生し、該ユーザから許可又は拒否を示す信号入力を受け付けることにより前記取得機能で取得した前記許可判断データが前記第一の通信方式による通信を行うことを許可するデータであるかを判断する判断機能と、
前記許可判断データが前記第一の通信方式による通信を行うことを許可するデータであると前記判断機能が判断した場合に、前記通信装置の前記第一の通信方式による通信の確立を許可する許可機能と、
をコンピュータに実行させるためのプログラム。
【請求項１９】
第一の通信方式により通信可能な第一の範囲とは異なる第二の範囲内の通信装置の、該通信装置に対してユーザが行う動作により生成された、前記第一の通信方式による通信を行うことを許可するか否かを判断するための許可判断データである前記通信装置の振り方を示すアニメーション情報、音声情報、文字情報、又はパターン画像を取得する取得機能と、
前記取得機能で取得した前記許可判断データが前記第一の通信方式による通信を行うことを許可するデータであるかを判断する判断機能と、
前記許可判断データが前記第一の通信方式による通信を行うことを許可するデータであると前記判断機能が判断した場合に、前記通信装置の前記第一の通信方式による通信の確立を許可する許可機能と、
をコンピュータに実行させるためのプログラム。
【請求項２０】
第一の通信方式により通信可能な第一の範囲とは異なる第二の範囲内で第一の情報を検知する検知機能と、
前記検知機能が前記第一の情報を検知した場合、ユーザが通信装置に対して行う動作を検知する第二の検知機能と、
前記第二の検知機能で検知した前記動作に対応する、前記第一の通信方式による通信を行うことを許可するか否かを判断するために生成された許可判断データである自装置の振り方を示すアニメーション情報、音声情報、文字情報、又はパターン画像を送信する送信機能と、
前記送信機能で送信した前記許可判断データに基づいて前記第一の通信方式による通信を行うことが許可された場合に送信されてくる設定情報を、前記通信装置との前記第一の通信方式による通信を確立するための設定情報として取得する設定情報取得機能と、
前記設定情報取得機能により取得された前記設定情報により前記第一の通信方式による通信を前記第二の範囲内で確立する通信確立機能と、
をコンピュータに実行させるためのプログラム。
【発明の詳細な説明】
【技術分野】
【０００１】
本発明は、通信システム、通信装置、及びプログラムに関する。
【背景技術】
【０００２】
無線通信エリア内に入場した通信装置を無線通信ネットワークに参加させる技術について開示したものがある。例えば特許文献１に開示の技術は、装置Ａと装置Ｂを含む無線通信ネットワークに新たに装置Ｃが参加する場合に、無線通信ネットワークの近距離通信を確立するための設定情報を装置Ｃが近接通信を介して装置Ｂから取得する。更に、装置Ｃは取得した設定情報により近距離通信を確立する。これにより、装置Ｃは装置Ａと装置Ｂと近距離通信を介して通信を行う無線通信ネットワークに参加する。
【発明の概要】
【発明が解決しようとする課題】
【０００３】
しかしながら、従来の技術では、設定情報を取得するエリアに通信装置が入場すると、その通信装置は、その無線通信ネットワークに参加する意思がなくても自動的に設定情報を取得し、無線通信ネットワークに参加するための通信を確立することになる。
【０００４】
一方、無線通信ネットワークを形成するシステムは、参加意思のない通信装置に設定情報が与えられるため、その通信装置についても通信を確立し、無線通信ネットワークから切断されるまでその通信装置を管理対象としなければならない。これはシステムにとって不要な負荷である。参加意思のない通信装置が増えれば、それだけ、システムに不要な負荷がかかることになるため、改善が望まれている。
【０００５】
本発明は、上記に鑑みてなされたものであって、参加を明確に意思表明したユーザの通信装置を無線通信ネットワークへ接続することを目的とする。
【課題を解決するための手段】
【０００６】
上述した課題を解決し、目的を達成するために、本発明は、通信装置として、他の通信装置と第一の範囲で第一の通信方式による通信を行うための通信部と、上記第一の範囲とは異なる第二の範囲内で第一の情報を検知する検知部と、上記検知部が上記第一の情報を検知した場合、ユーザが自装置に対して行う動作を検知する第二の検知部と、上記第二の検知部が検知した上記動作に対応する、上記通信部による通信を行うことを許可するか否かを判断するために生成された許可判断データである自装置の振り方を示すアニメーション情報、音声情報、文字情報、又はパターン画像を送信する送信部と、上記送信部が送信した上記許可判断データに基づいて上記通信部による通信を行うことが許可された場合に送信されてくる設定情報を、上記他の通信装置との上記第一の通信方式による通信を確立するための設定情報として取得する設定情報取得部と、を備え、上記通信部は、上記他の通信装置と上記第二の範囲内で上記設定情報を用いて上記第一の通信方式による通信を行う、ことを特徴とする。
【発明の効果】
【０００７】
本発明によれば、参加意思のあるユーザの通信装置を無線通信ネットワークに接続することにより、システム上の負荷を低減させることができるという効果を奏する。
【図面の簡単な説明】
【０００８】
【図１】図１は、無線ＬＡＮ通信システムの基本構成を示すシステム構成図である。
【図２】図２は、基本構成となる無線ＬＡＮ通信システムに設けられている通信範囲制限装置のハードウェア構成図である。
【図３】図３は、基本構成となる無線ＬＡＮ通信システムに設けられているスマートフォンのハードウェア構成図である。
【図４】図４は、基本構成となる無線ＬＡＮ通信システムに設けられているプリンタ装置のハードウェア構成図である。
【図５】図５は、基本構成となる無線ＬＡＮ通信システムに設けられているプロジェクタ装置のハードウェア構成図である。
【図６】図６は、基本構成となる無線ＬＡＮ通信システムに設けられている通信範囲制限装置の機能ブロック図である。
【図７】図７は、基本構成となる無線ＬＡＮ通信システムに設けられているスマートフォンの機能ブロック図である。
【図８】図８は、基本構成となる無線ＬＡＮ通信システムに設けられているプリンタ装置の機能ブロック図である。
【図９】図９は、基本構成となる無線ＬＡＮ通信システムにおいて、無線ＬＡＮ通信エリアのＢＬＥ通信エリア内に移動したスマートフォンが、無線ＬＡＮ通信回線を確立する流れを示すシーケンス図である。
【図１０】図１０は、基本構成となる無線ＬＡＮ通信システムにおいて、無線ＬＡＮ通信エリアのＢＬＥ通信エリア内に位置するプリンタ装置が、無線ＬＡＮ通信回線を確立する流れを示すシーケンス図である。
【図１１】図１１は、基本構成となる無線ＬＡＮ通信システムにおいて、無線ＬＡＮに接続されたスマートフォンからプリンタ装置を遠隔操作して印刷物を印刷する流れを示すフローチャートである。
【図１２】図１２は、基本構成となる無線ＬＡＮ通信システムにおいて、ＢＬＥ通信エリア内でプリンタ装置に無線ＬＡＮ接続されているスマートフォンが、ＢＬＥ通信エリア外に移動した際に、無線ＬＡＮ通信回線（及びＢＬＥ通信回線）が切断される流れを示すシーケンス図である。
【図１３】図１３は、実施例１の無線ＬＡＮ通信システムの概要を説明するための模式図である。
【図１４】図１４は、第一の通信範囲制限装置のハードウェア構成図である。
【図１５】図１５は、第二の通信範囲制限装置のハードウェア構成図である。
【図１６】図１６は、第一のデバイスのハードウェア構成図である。
【図１７】図１７は、第三のデバイスのスマートフォンとしてのハードウェア構成図である。
【図１８】図１８は、第一の通信範囲制限装置のＣＰＵの機能ブロック図である。
【図１９】図１９は、第二の通信範囲制限装置のＣＰＵの機能ブロック図である。
【図２０】図２０は、第一のデバイスのＣＰＵの機能ブロック図である。
【図２１】図２１は、第三のデバイスのＣＰＵの機能ブロック図である。
【図２２】図２２は、第三のデバイスがＢＬＥ通信エリア内に入場した場合の、無線ＬＡＮ通信回線の確立の流れを示すシーケンス図である。
【図２３】図２３は、第三のデバイスの表示画面に表示する画面情報の一例を示す図である。
【図２４】図２４は、第一のデバイスの表示画面に表示する画面情報の一例を示す図である。
【図２５】図２５は、第三のデバイスがＢＬＥ通信エリア外に退場した場合の、無線ＬＡＮ通信回線の切断の流れを示すシーケンス図である。
【図２６】図２６は、実施例２の第一のデバイスのＣＰＵの機能ブロック図である。
【図２７】図２７は、実施例２の第三のデバイスのＣＰＵの機能ブロック図である。
【図２８】図２８は、実施例２の第一のデバイスの表示画面に表示する画面情報の一例を示す図である。
【図２９】図２９は、実施例３の第一のデバイスのＣＰＵの機能ブロック図である。
【図３０】図３０は、実施例３の第三のデバイスのＣＰＵの機能ブロック図である。
【図３１】図３１は、実施例３の第一のデバイスの表示画面に表示する画面情報の一例を示す図である。
【図３２】図３２は、実施例４の第一のデバイスのＣＰＵの機能ブロック図である。
【図３３】図３３は、実施例４の第三のデバイスのＣＰＵの機能ブロック図である。
【図３４】図３４は、実施例４の第一のデバイスの表示画面に表示する画面情報の一例を示す図である。
【図３５】図３５は、第二の通信範囲制限装置のハードウェアの構成図である。
【図３６】図３６は、実施例５の第二の通信範囲制限装置のＣＰＵについての機能ブロック図である。
【図３７】図３７は、実施例５の第三のデバイスのＣＰＵの機能ブロック図である。
【図３８】図３８は、実施例５の第三のデバイスがＢＬＥ通信エリア内に入場した場合の、無線ＬＡＮ通信回線の確立の流れを示すシーケンス図である。
【図３９】図３９は、実施例５の第二の通信範囲制限装置の表示部に表示する画面情報の一例を示す図である。
【図４０】図４０は、表示部になぞり方を示す情報を表示する画面情報の一例を示す図である。
【発明を実施するための形態】
【０００９】
以下、添付図面を参照して、本発明を適用した実施の形態となる無線ＬＡＮ（Local  Area  Network）通信システムを詳細に説明する。
【００１０】
（基本構成）
まず、以下に説明する実施の形態の無線ＬＡＮ通信システムの基本構成を説明する。図１は、無線ＬＡＮ通信システムの基本構成を示すシステム構成図である。図１に示すように、無線ＬＡＮ通信システムは、通信範囲制限装置１、第１のデバイスとしてスマートフォン２、第２のデバイスとしてプリンタ装置３、及び、第３のデバイスとしてプロジェクタ装置４を有している。なお、図１に示す各デバイスは一例であり、後述する通信機能を有するデバイスであれば、どのようなデバイスでもよい。例えばスマートフォン２の代わりに、タブレット端末装置、携帯ゲーム機、ノート型のパーソナルコンピュータ装置等の携帯可能な通信機器を用いてもよい。
【００１１】
（通信範囲制限装置の基本構成）
通信範囲制限装置１は、例えば無線ＬＡＮルータ等の、無線ＬＡＮのアクセスポイントを形成する機器となっている。通信範囲制限装置１は、ローカルエリアネットワークの一例として、図１中、実線の楕円で示す無線ＬＡＮ通信エリア５を形成する。また、通信範囲制限装置１は、無線ＬＡＮ通信エリア５内における、無線ＬＡＮ通信エリア５よりも狭いエリア内においてのみ、各デバイスの通信を可能とする。例えば、通信範囲制限装置１は、無線ＬＡＮ通信エリア５内における、無線ＬＡＮ通信エリア５よりも狭い、パーソナルエリアネットワーク（ＰＡＮ）内においてのみ、各デバイスの通信を可能とする。
【００１２】
一例として、パーソナルエリアネットワークとしては、極低電力でＢＬＥ（Bluetooth（登録商標）  Low  Energy）通信を行うブルートゥース（登録商標）ＰＡＮを用いることができる。図１中、点線の楕円に示す通信範囲が、ブルートゥース（登録商標）ＰＡＮによるＢＬＥ通信エリア６である。なお、パーソナルエリアネットワークはブルートゥースＰＡＮであることとして説明を進める。しかし、ブルートゥースの代わりに、例えば非接触無線（NFC：Near  Field  Communications）、ＱＲコード(登録商標)  、可視光、環境音、又は超音波を用いてもよい。
【００１３】
（通信範囲制限装置の基本的なハードウェア構成）
図２に、通信範囲制限装置１の基本的なハードウェア構成を示す。この図２に示すように、通信範囲制限装置１は、ＣＰＵ（Central  Processing  Unit）１１、ＲＯＭ（Read  Only  Memory）１２、ＲＡＭ（Random  Access  Memory）１３、ＨＤＤ（Hard  Disk  Drive）１４、入出力インタフェース（入出力Ｉ／Ｆ）１５、無線ＬＡＮＡＰ部１６（ＡＰはアクセスポイントの意である）、及び、ＢＬＥ通信部１７を有している。ＣＰＵ１１〜ＢＬＥ通信部１７は、バスライン１８を介して相互に接続されている。
【００１４】
ＲＯＭ１２には、無線ＬＡＮ通信エリア５内のＢＬＥ通信エリア６でのみ、各デバイスの通信を可能とするための通信制御プログラムが記憶されている。通信制御プログラムは、ＲＡＭ１３又はＨＤＤ１４等の他の記憶部に記憶させてもよい。ＣＰＵ１１は、通信制御プログラムに従って動作することで、無線ＬＡＮＡＰ部１６及びＢＬＥ通信部１７を制御し、無線ＬＡＮ通信エリア５内のＢＬＥ通信エリア６においてのみ、各デバイスの通信を可能とする制御を行う。
【００１５】
図１及び図２においては、通信範囲制限装置１は、機器単体として図示されている。しかし、通信範囲制限装置１は、各デバイスの内部に組み込まれていてもよい。例えばプリンタ装置、または、複合機（ＭＦＰ）等の機器内に組み込まれていてもよい。
【００１６】
（スマートフォンの基本的なハードウェア構成）
図３に、スマートフォン２の基本的なハードウェア構成を示す。この図３に示すように、スマートフォン２は、ＣＰＵ２１、ＲＯＭ２２、ＲＡＭ２３、表示部２４、マイクロホン部２５、スピーカ部２６を有している。また、スマートフォン２は、入出力Ｉ／Ｆ２８、無線通信部２９、カメラ部３０、無線ＬＡＮ通信部３１、及び、ＢＬＥ通信部３２を有している。ＣＰＵ２１〜ＢＬＥ通信部３２は、バスライン３３を介して相互に接続されている。
【００１７】
ＲＯＭ２２には、無線ＬＡＮ通信エリア５内のＢＬＥ通信エリア６でのみ、各デバイスの通信を可能とするための通信制御プログラムが記憶されている。通信制御プログラムは、ＲＡＭ２３等の他の記憶部に記憶させてもよい。ＣＰＵ２１は、通信制御プログラムに従って動作することで、無線ＬＡＮ通信部３１及びＢＬＥ通信部３２を制御する。これにより、無線ＬＡＮ通信エリア５内のＢＬＥ通信エリア６におけるＢＬＥ通信を可能とする。
【００１８】
表示部２４は、透明電極で形成されたタッチパネルと、表示パネルとを一体的に形成した、いわゆるタッチパネル付表示部となっている。無線通信部２９は、所定のキャリアの無線基地局を介して、電話及びメール等の通信を行う。
【００１９】
（プリンタ装置の基本的なハードウェア構成）
図４に、プリンタ装置３の基本的なハードウェア構成を示す。この図４に示すように、プリンタ装置３は、ＣＰＵ４１、ＲＯＭ４２、ＲＡＭ４３、操作パネル４４、プリンタ機構４５を有している。また、プリンタ装置３は、ＨＤＤ４６、無線ＬＡＮ通信部４７、ＢＬＥ通信部４８、有線通信部４９及び入出力Ｉ／Ｆ５０を有している。ＣＰＵ４１〜入出力Ｉ／Ｆ５０は、バスライン５１を介して相互に接続されている。
【００２０】
ＲＯＭ４２には、無線ＬＡＮ通信エリア５内のＢＬＥ通信エリア６でのみ、各デバイスの通信を可能とするための通信制御プログラムが記憶されている。通信制御プログラムは、ＲＡＭ４３又はＨＤＤ４６等の他の記憶部に記憶させてもよい。ＣＰＵ４１は、通信制御プログラムに従って動作することで、無線ＬＡＮ通信部４７及びＢＬＥ通信部４８を制御する。これにより、無線ＬＡＮ通信エリア５内のＢＬＥ通信エリア６におけるＢＬＥ通信を可能とする。また、プリンタ機構４５は、スマートフォン２から指定された印刷設定で画像及びテキスト等の印刷を行う。
【００２１】
（プロジェクタ装置の基本的なハードウェア構成）
図５に、プロジェクタ装置４の基本的なハードウェア構成を示す。この図５に示すように、プロジェクタ装置４は、入力インタフェース部（入力ＩＦ部）６１、画像処理部６２、照明光学系６３、ＲＡＭ６４及び操作部６５を有している。また、プロジェクタ装置４は、リモートコントローラ７０から赤外線送信されるコマンドを受信する受信部６６、無線ＬＡＮ通信部６７、ＢＬＥ通信部６８、及び、ＣＰＵ６９を有している。
【００２２】
このようなプロジェクタ装置４は、投影される画像に対応する画像情報が、入力ＩＦ部６１に供給される。画像情報は、画像処理部６２により、歪み補正等の所定の画像処理が施された後、照明光学系６３によりスクリーン等に投影される。
【００２３】
ＲＡＭ６４には、無線ＬＡＮ通信エリア５内のＢＬＥ通信エリア６でのみ、各デバイスの通信を可能とするための通信制御プログラムが記憶されている。通信制御プログラムは、ＲＯＭ又はＨＤＤ等の他の記憶部に記憶させてもよい。ＣＰＵ６９は、通信制御プログラムに従って動作することで、無線ＬＡＮ通信部６７及びＢＬＥ通信部６８を制御する。これにより、無線ＬＡＮ通信エリア５内のＢＬＥ通信エリア６におけるＢＬＥ通信を可能とする。
【００２４】
（通信範囲制限装置の基本的なソフトウェア構成）
次に、図６は、通信範囲制限装置１のＣＰＵ１１が通信制御プログラムに従って動作することで実現される各機能の機能ブロックである。この図６に示すように、通信範囲制限装置１のＣＰＵ１１は、通信制御プログラムを実行することで、デバイス接続部７５、周辺機器接続部７６、離脱検知部７７、無線ＬＡＮＡＰ制御部７８及びＢＬＥ通信制御部７９として機能する。
【００２５】
なお、この例では、デバイス接続部７５〜ＢＬＥ通信制御部７９は、通信制御プログラムにより、ソフトウェア的に実現されることとして説明を進める。しかし、デバイス接続部７５〜ＢＬＥ通信制御部７９のうち、一部又は全部をＩＣ（Integrated  Circuit）で実現してもよいし、一部または全部をハードウェアで実現してもよい。
【００２６】
また、通信範囲制限装置１の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリ等のコンピュータ装置で読み取り可能な記録媒体に記録して提供してもよい。また、通信範囲制限装置１の通信制御プログラムは、インターネット等のネットワーク経由でインストールするかたちで提供してもよい。また、通信範囲制限装置１の通信制御プログラムは、機器内のＲＯＭ等に予め組み込んで提供してもよい。
【００２７】
（スマートフォンの基本的なソフトウェア構成）
次に、図７は、スマートフォン２のＣＰＵ２１が通信制御プログラムに従って動作することで実現される各機能の機能ブロックである。この図７に示すように、スマートフォン２のＣＰＵ２１は、通信制御プログラムに従って動作することで、印刷依頼部８１、無線ＬＡＮ通信制御部８２、ＢＬＥ通信制御部８３としての機能を実現させる。印刷依頼部８１は、ＢＬＥ通信によりプリンタ装置３を遠隔操作して、所望の画像及び文字等を印刷させる機能である。
【００２８】
なお、この例では、印刷依頼部８１〜ＢＬＥ通信制御部８３は、通信制御プログラムにより、ソフトウェア的に実現されることとして説明を進める。しかし、印刷依頼部８１〜ＢＬＥ通信制御部８３のうち、一部又は全部をＩＣ（Integrated  Circuit）で実現してもよいし、一部または全部をハードウェアで実現してもよい。
【００２９】
また、スマートフォン２の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリなどのコンピュータ装置で読み取り可能な記録媒体に記録して提供してもよい。また、スマートフォン２の通信制御プログラムは、インターネット等のネットワーク経由でインストールするかたちで提供してもよい。また、スマートフォン２の通信プログラムは、機器内のＲＯＭ等に予め組み込んで提供してもよい。
【００３０】
（プリンタ装置の基本的なソフトウェア構成）
次に、図８は、プリンタ装置３のＣＰＵ４１が通信制御プログラムに従って動作することで実現される各機能の機能ブロックである。この図８に示すように、プリンタ装置３のＣＰＵ４１は、通信制御プログラムに従って動作することで、印刷部８５、無線ＬＡＮ通信制御部８６及びＢＬＥ通信制御部８７としての機能を実現させる。印刷部８５は、スマートフォン２から依頼された画像及び文字等を用紙に印刷するように、プリンタ機構４５を制御する機能である。
【００３１】
なお、この例では、印刷部８５〜ＢＬＥ通信制御部８７は、ソフトウェア的に実現されることとして説明を進める。しかし、印刷部８５〜ＢＬＥ通信制御部８７のうち、一部又は全部をＩＣ（Integrated  Circuit）で実現してもよいし、一部又は全部をハードウェアで実現してもよい。
【００３２】
また、プリンタ装置３の通信制御プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ、ブルーレイディスク（登録商標）、半導体メモリなどのコンピュータ装置で読み取り可能な記録媒体に記録して提供してもよい。また、プリンタ装置３の通信制御プログラムは、インターネット等のネットワーク経由でインストールするかたちで提供してもよい。また、プリンタ装置３の通信制御プログラムは、機器内のＲＯＭ等に予め組み込んで提供してもよい。
【００３３】
（無線ＬＡＮ通信システムの基本動作の概要）
このような無線ＬＡＮ通信システムにおいて、図１に実線で示す外側の楕円が、通信範囲制限装置１の無線ＬＡＮＡＰ部１６で形成される無線ＬＡＮの通信可能範囲（無線ＬＡＮ通信エリア５）を示している。この無線ＬＡＮ通信エリア５内に、スマートフォン２、プリンタ装置３及びプロジェクタ装置４が位置している。
【００３４】
スマートフォン２は、無線ＬＡＮ通信機能が設けられたプリンタ装置３及びプロジェクタ装置４等の周辺機器と通信し、無線ＬＡＮを介して所望の画像、文字等の印刷、又は、画像の投影等の遠隔操作が可能となっている。
【００３５】
また、プリンタ装置３及びプロジェクタ装置４等の周辺機器は、無線ＬＡＮ通信部４７，６７と共に、ＢＬＥ通信部４８，６８を有している。これにより、通信範囲制限装置１のＢＬＥ通信部１７との間で、ＢＬＥ通信が可能となっている。ただし、図１に、点線の楕円で示すように、ＢＬＥ通信エリア６は、無線ＬＡＮ通信エリア５よりも狭くなっている。このため、ＢＬＥ通信エリア６内に位置するスマートフォン２及びプリンタ装置３と、通信範囲制限装置１との間でＢＬＥ通信を行うことは可能である。しかし、ＢＬＥ通信エリア６外に位置するプロジェクタ装置４と、通信範囲制限装置１との間でＢＬＥ通信を行うことは不可となっている。
【００３６】
すなわち、無線ＬＡＮ通信システムは、後述するように、ＢＬＥ通信を用いて無線ＬＡＮ設定を行う。このため、実際に無線ＬＡＮで通信できるのは、ＢＬＥ通信が可能なスマートフォン２及びプリンタ装置３だけであり、ＢＬＥ通信が不可なプロジェクタ装置４は、無線ＬＡＮ通信エリア５内であっても、無線ＬＡＮ設定を行うことができず、無線ＬＡＮ通信は不可となっている。
【００３７】
（スマートフォンに対する基本的な接続動作）
図９は、無線ＬＡＮ通信エリア５のＢＬＥ通信エリア６内に移動したスマートフォン２が、無線ＬＡＮ通信回線を確立する流れを示すシーケンス図である。通信範囲制限装置１のデバイス接続部７５は、ＢＬＥ通信制御部７９からＢＬＥ通信部１７を介して、例えば３つのアドバタイズメントチャネルのアドバタイズメントパケットを送信することで、周辺機器に対して自機（自装置）の存在を知らせている。アドバタイズメントパケットには、ＢＬＥ通信エリア６を示す通信範囲情報が含まれている。ステップＳ１は、ＢＬＥ通信エリア６を示す通信範囲情報を含むアドバタイズメントパケットの送信を示している。
【００３８】
ＢＬＥ通信エリア６内に、スマートフォン２が位置すると、スマートフォン２のＢＬＥ通信部３２で、通信範囲制限装置１から送信されているアドバタイズメントパケット（通信範囲情報）が受信される。スマートフォン２は、受信した通信範囲情報を参照することで、スマートフォン２自身がＢＬＥ通信エリア６内に位置しているか否かを判別する。そして、この判別結果を、ステップＳ２に示す応答として、ＢＬＥ通信により通信範囲制限装置１に送信する。スマートフォン２が、ＢＬＥ通信エリア６内に位置している場合、スマートフォン２のＢＬＥ通信部３２及び通信範囲制限装置１のＢＬＥ通信部１７は、ステップＳ３において、ＢＬＥ通信のペアリング処理（ＢＬＥペアリング）を行う。これにより、スマートフォン２と通信範囲制限装置１との間でＢＬＥ通信が可能となる。
【００３９】
次に、ＢＬＥペアリングが完了すると、通信範囲制限装置１のデバイス接続部７５は、ステップＳ４において、Ｗｉ−Ｆｉアライアンスで規格化された無線ＬＡＮ接続を容易化するＷＰＳ方式のＰＩＮコード（固有識別情報）を、ＢＬＥ通信により、スマートフォン２に送信する。また、通信範囲制限装置１のデバイス接続部７５は、ステップＳ６において、無線ＬＡＮＡＰ部１６に対して、スマートフォン２に送信したＰＩＮコードを転送し、ＷＰＳ方式の通信開始準備指示を行う。通信範囲制限装置１の無線ＬＡＮＡＰ部１６は、ステップＳ８において、スマートフォン２に送信したＰＩＮコードを用いてＷＰＳ方式のセットアップを行う。
【００４０】
一方、通信範囲制限装置１からＷＰＳ方式のＰＩＮコードを受信したスマートフォン２のＢＬＥ通信部３２は、ステップＳ５において、受信したＰＩＮコードを無線ＬＡＮ通信部３１に転送し、ＷＰＳ方式の通信開始準備指示を行う。無線ＬＡＮ通信部３１は、ステップＳ７において、通信範囲制限装置１から転送されたＰＩＮコードを用いてＷＰＳ方式のセットアップを行う。これにより、ステップＳ９において、スマートフォン２及び通信範囲制限装置１が、ＰＩＮコードを用いたＷＰＳ方式によりＷｉ−Ｆｉ接続（無線ＬＡＮ接続）される。
【００４１】
このように、無線ＬＡＮ通信システムは、スマートフォン２が通信範囲制限装置１のＢＬＥ通信エリア６内に位置した際、自動的にＷｉ−Ｆｉ接続（無線ＬＡＮ接続）が完了する。このため、ユーザの無線ＬＡＮに対する設定知識及び面倒なＰＩＮコードの入力操作等を不要とすることができる。また、ＢＬＥ通信においては、暗号化された情報が各機器間で送受信されるため、安全性を確保したうえでＰＩＮコードの送受信を行うことができる。
【００４２】
次に、ＢＬＥ通信（ペアリング）中は、アドバタイズメントパケットを送信できない。このため、スマートフォン２のＢＬＥ通信制御部８３及び通信範囲制限装置１のＢＬＥ通信制御部７９は、新たなデバイスの接続を可能とするために、ステップＳ１０において、一旦、ＢＬＥ通信を切断する。その後、通信範囲制限装置１のデバイス接続部７５は、ステップＳ１１において、ステップＳ１で説明したように、ＢＬＥ通信エリア６を示す通信範囲情報を含むアドバタイズメントパケットを送信する。そして、通信範囲制限装置１のデバイス接続部７５は、上述のようにＢＬＥ通信により、ＢＬＥ通信エリア６に位置しているスマートフォン２等のデバイスと、無線ＬＡＮ通信回線の確立を図る。
【００４３】
（プリンタ装置に対する基本的な接続動作）
次に、図１０は、無線ＬＡＮ通信エリア５のＢＬＥ通信エリア６内に位置するプリンタ装置３が、無線ＬＡＮ通信回線を確立する流れを示すシーケンス図である。周辺機器となるプリンタ装置３は、印刷を依頼するスマートフォン２等のデバイスから印刷の依頼を受けることで、有効に機能するデバイスである。このため、プリンタ装置３との間で無線ＬＡＮ通信を確立する場合、プリンタ装置３を制御するスマートフォン２等が、予め無線ＬＡＮに接続済みであることが好ましい。図１０のシーケンス図は、スマートフォン２が、無線ＬＡＮに接続済みであることを前提としている（図９の説明を参照）。そして、図１０のシーケンス図は、図９のステップＳ１０において、スマートフォン２と通信範囲制限装置１との間のＢＬＥ通信が一旦切断され、アドバタイズメントパケットの送信が可能となることで、ステップＳ２１からの処理が開始される。
【００４４】
プリンタ装置３は、据え置き型の機器であり、通信範囲制限装置１のＢＬＥ通信エリア６内に設けられている。プリンタ装置３は、ステップＳ２１において、上述の３つのアドバタイズメントチャネルを介して、スマートフォン２等の印刷の依頼を行うデバイスが、無線ＬＡＮに接続されたか否かを問うための接続問い合わせ情報を含むアドバタイズメントパケットを、ＢＬＥ通信部４８を介して通信範囲制限装置１に定期的に送信する。図６に示した通信範囲制限装置１の周辺機器接続部７６は、ステップＳ２２において、印刷の依頼を行うデバイスの接続の有無を示す応答を、ＢＬＥ通信部１７を介してプリンタ装置３に送信する。
【００４５】
スマートフォン２等、印刷の依頼を行うデバイスが、無線ＬＡＮに接続された場合、通信範囲制限装置１の周辺機器接続部７６及びプリンタ装置３のＢＬＥ通信部４８は、ステップＳ２３において、ＢＬＥ通信のペアリング処理（ＢＬＥペアリング）を行う。これにより、プリンタ装置３と通信範囲制限装置１との間でＢＬＥ通信が可能となる。
【００４６】
次に、ＢＬＥペアリングが完了すると、通信範囲制限装置１の周辺機器接続部７６は、ステップＳ２４において、Ｗｉ−Ｆｉアライアンスで規格化された無線ＬＡＮ接続を容易化するＷＰＳ方式のＰＩＮコードをプリンタ装置３に送信する。また、通信範囲制限装置１は、ステップＳ２６において、プリンタ装置３に送信したＰＩＮコードを無線ＬＡＮＡＰ部１６に転送し、ＷＰＳ方式の通信開始準備指示を行う。通信範囲制限装置１の無線ＬＡＮＡＰ部１６は、ステップＳ２８において、プリンタ装置３に送信したＰＩＮコードを用いてＷＰＳ方式のセットアップを行う。
【００４７】
一方、通信範囲制限装置１からＷＰＳ方式のＰＩＮコードを受信したプリンタ装置３のＢＬＥ通信部４８は、ステップＳ２５において、受信したＰＩＮコードを無線ＬＡＮ通信部４７に転送し、ＷＰＳ方式の通信開始準備指示を行う。無線ＬＡＮ通信部４７は、ステップＳ２７において、ＢＬＥ通信部４８から転送されたＰＩＮコードを用いてＷＰＳ方式のセットアップを行う。これにより、ステップＳ２９において、プリンタ装置３及び通信範囲制限装置１が、ＰＩＮコードを用いたＷＰＳ方式によりＷｉ−Ｆｉ接続（無線ＬＡＮ接続）される。
【００４８】
次に、上述のように、ＢＬＥ通信（ペアリング）中は、アドバタイズメントパケットを送信できない。このため、プリンタ装置３のＢＬＥ通信部４８及び通信範囲制限装置１のＢＬＥ通信部１７は、新たなデバイスの接続を可能とするために、ステップＳ３０において、一旦、ＢＬＥ通信を切断する。その後、プリンタ装置３のＢＬＥ通信部４８は、ステップＳ３１において、ステップＳ２１で説明したように、接続問い合わせ情報を含むアドバタイズメントパケットを送信する。そして、通信範囲制限装置１は、印刷を依頼するデバイスが無線ＬＡＮに接続された際に、上述のようにＢＬＥ通信により、ＢＬＥ通信エリア６に位置しているプリンタ装置３と、無線ＬＡＮ通信回線の確立を図る。
【００４９】
（印刷動作）
次に、図１１のフローチャートに、無線ＬＡＮに接続されたスマートフォン２からプリンタ装置３を遠隔操作して印刷物を印刷する流れを示す。上述のように無線ＬＡＮ内において、スマートフォン２及びプリンタ装置３が無線ＬＡＮ通信部３１，４７を介して相互に接続されると、スマートフォン２でプリンタ装置３を遠隔操作することが可能となる。
【００５０】
スマートフォン２でプリンタ装置３を遠隔操作する場合、ユーザは、スマートフォン２のＲＯＭ２２等の記憶部に記憶されている印刷アプリケーションプログラムを起動操作する。印刷アプリケーションプログラムが起動操作されると、図７に示すスマートフォン２の印刷依頼部８１は、ステップＳ４１において、無線ＬＡＮ通信制御部８２及び無線ＬＡＮ通信部３１を介してプリンタ装置３に印刷要求を行う。図８に示すプリンタ装置３の印刷部８５は、印刷要求を受信すると、ステップＳ４２において、無線ＬＡＮ通信部４７を介して、スマートフォン２に対し、印刷に用いるデバイスの問い合わせを行う。ユーザは、スマートフォン２に記憶されているデータを印刷する場合は、印刷に用いるデバイスはスマートフォン２であることを、無線ＬＡＮ通信により、プリンタ装置３に通知する。または、ユーザは、プロジェクタ装置４で投影している画像等を印刷する場合は、印刷に用いるデバイスはプロジェクタ装置４であることを、無線ＬＡＮ通信により、プリンタ装置３に通知する。
【００５１】
次に、ステップＳ４３では、プリンタ装置３の印刷部８５が、無線ＬＡＮ通信により、スマートフォン２に対して、印刷するデータの問い合わせを行う。ユーザは、スマートフォン２に記憶されている画像又はテキスト等のデータを印刷する場合、印刷するデータは、スマートフォン２に記憶されているデータであることを、無線ＬＡＮ通信により、プリンタ装置３に通知する。または、ユーザは、プロジェクタ装置４で投影している画像等が印刷するデータである場合は、印刷するデータはプロジェクタ装置４で投影されているデータであることを、無線ＬＡＮ通信により、プリンタ装置３に通知する。最後に、プリンタ装置３の印刷部８５は、ステップＳ４４において、無線ＬＡＮ通信により、ユーザに指定されたデバイス（スマートフォン２又はプロジェクタ装置４）から、ユーザに指定されたデータを取得して印刷を実行する。
【００５２】
（デバイスの切断動作）
次に、図１２は、ＢＬＥ通信エリア６内でプリンタ装置３に無線ＬＡＮ接続されているスマートフォン２が、ＢＬＥ通信エリア６外に移動した際に、無線ＬＡＮ通信回線（及びＢＬＥ通信回線）が切断される流れを示すシーケンス図である。ステップＳ５１では、上述のようにＢＬＥ通信エリア６に対応する通信範囲を示す通信範囲情報が、通信範囲制限装置１のＢＬＥ通信部１７からスマートフォン２にＢＬＥ通信により送信される。スマートフォン２は、ＧＰＳ（Global  Positioning  System）等により自機で検出した自機位置と、通信範囲情報で示されるＢＬＥ通信エリア６とを比較する。そして、スマートフォン２は、自機位置がＢＬＥ通信エリア６外となったことを検出した際に、ステップＳ５２において、無線ＬＡＮ通信部３１に対して無線ＬＡＮの切断指示（Ｗｉ−Ｆｉ切断指示）を行う。
【００５３】
なお、この例では、通信範囲制限装置１側からスマートフォン２に対して通信範囲情報を送信し、スマートフォン２が、自機の現在位置と通信範囲情報で示されるＢＬＥ通信エリア６とを比較して、ＢＬＥ通信エリア６に対する離脱の有無を検出することとした。しかし、スマートフォン２がＧＰＳ等で検出した自機の現在位置を通信範囲制限装置１にＢＬＥ通信で送信し、通信範囲制限装置１が、スマートフォン２の現在位置とＢＬＥ通信エリア６とを比較して、ＢＬＥ通信エリア６に対するスマートフォン２等のデバイスの離脱の有無を検出してもよい。この場合、図６に示す離脱検知部７７が、ＢＬＥ通信エリア６に対するスマートフォン２等のデバイスの離脱の有無を検知することとなる。
【００５４】
スマートフォン２の無線ＬＡＮ通信部３１は、ＢＬＥ通信部３２から無線ＬＡＮの切断が指示されると、ステップＳ５３において、無線ＬＡＮ通信を用いて、通信範囲制限装置１に対して無線ＬＡＮの切断要求を行う。通信範囲制限装置１は、無線ＬＡＮの切断要求を受信すると、ステップＳ５４に示すように、無線ＬＡＮの切断要求を行ったデバイスに関連する無線ＬＡＮ通信回線を切断する。これにより、スマートフォン２のみならず、プリンタ装置３の無線ＬＡＮ通信回線も切断される。
【００５５】
なお、無線ＬＡＮ通信回線の切断後に、再度、無線ＬＡＮ通信回線を確立する場合、通信範囲制限装置１は、ＰＩＮコードを新たなものに更新する。このため、ＢＬＥ通信エリア６外に移動したスマートフォン２が、再度、ＢＬＥ通信エリア６内に移動した際には、前回とは異なるＰＩＮコードを用いて無線ＬＡＮ通信回線が確立されることとなる。
【００５６】
このように、無線ＬＡＮ通信システムは、スマートフォン２がＢＬＥ通信エリア６外に移動した際に、自動的に無線ＬＡＮ通信回線及びＢＬＥ通信回線を切断することができる。このため、スマートフォン２が無線ＬＡＮに接続可能な範囲を、一定の範囲内（ＢＬＥ通信エリア６内）に限定することができる。また、ＢＬＥ通信エリア６外に移動したスマートフォン２のみならず、スマートフォン２と通信を行っていたプリンタ装置３の無線ＬＡＮ通信回線も切断する。このため、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。すなわち、例えば社内ＬＡＮ等の構内網への接続許可を持たないユーザに対しても、構内網の安全性を確保したうえで、ユーザのデバイスを、一時的かつ簡単に、構内網に通信接続させて使用させることができる。
【００５７】
また、無線ＬＡＮ通信回線の切断後に、再度、無線ＬＡＮ通信回線を確立する際には、ＰＩＮコードを新たなものに更新する。このため、ＢＬＥ通信エリア６外に移動したスマートフォン２が、前回の接続時に用いていたＰＩＮコードを再利用して、他のデバイスの無線ＬＡＮ通信の傍受を図る不正行為を防止できる。
【００５８】
また、ＢＬＥ通信エリア６外にスマートフォン２が移動した際には、スマートフォン２のみならず、スマートフォン２と通信を行っていたプリンタ装置３の無線ＬＡＮ通信回線も切断する。これにより、スマートフォン２との間の無線ＬＡＮ通信回線を切断することで、使用されないこととなった無線ＬＡＮ通信回線に対するプリンタ装置３の接続が、無駄に継続される不都合を防止でき、より高い通信セキュリティを得ることができる。
【００５９】
なお、無線ＬＡＮ通信回線の確立時に、ＢＬＥ通信により、通信範囲制限装置１からスマートフォン２等のデバイスに配信するＷＰＳ方式のＰＩＮコードの代わりに、公開鍵を配信してもよい。ＷＰＳ方式のＰＩＮコードの代わりに、例えばディフィーヘルマン鍵交換法（Diffie-Hellman  key  exchange  method）による公開鍵を配信して、無線ＬＡＮ通信回線を確立してもよい。この場合、ＢＬＥ通信エリア６内で公開鍵の送受信が行われるため、無線ＬＡＮの管理者の目が届く範囲内で公開鍵の送受信が行われる。このため、公開鍵を送信するデバイス、及び、公開鍵を受信するデバイス及びユーザ等が明確である。従って、不正ユーザ及び不正デバイス等の、いわゆる成りすましによる不正な通信を防止できる。また、一旦確立された無線ＬＡＮ通信回線が切断され、再度、無線ＬＡＮ通信回線が確立される際には、上述のＰＩＮコードの場合と同様に、前回とは異なる新たな公開鍵を用いることが好ましいであろう。
【００６０】
また、音声（空間を伝搬する音響出力）で、通信範囲制限装置１からスマートフォン２又はプリンタ装置３等のデバイスに対して、ＰＩＮコード又は公開鍵を伝達してもよい。この場合、音響出力は、ＢＬＥ通信で用いられる電波よりも空間の伝達性が悪いため、各デバイス間で音声の送受が可能な範囲に、ＰＩＮコード等の送受信範囲を制限できる。このため、システム管理者等の目の届く狭い範囲でＰＩＮコード等の送受信が行われる。従って、上述の不正ユーザ及び不正デバイス等の、いわゆる成りすましによる不正な通信を、さらに強力に防止できる。
【００６１】
また、通信範囲情報の代わりに、ＢＬＥ通信部１７の受信信号強度（ＲＳＳＩ）を用いて、ＢＬＥ通信エリア６内のデバイスの有無を監視してもよい。また、退場ＲＳＳＩエリア及び入場ＲＳＳＩエリアとみなすＢＬＥ通信の受信信号強度を、所望の受信信号強度に設定することで、ＢＬＥ通信エリア６の範囲内において、無線ＬＡＮに接続可能な範囲（入場ＲＳＳＩエリアの範囲）を動的に調整できる。
【００６２】
（無線ＬＡＮ通信回線の確立を所定のユーザに制限するための実施例）
続いて、上述の基本構成において、無線ＬＡＮ通信ネットワークへの参加を意思表明するユーザの通信装置に無線ＬＡＮ通信回線を確立することにより、無線ＬＡＮへの接続台数を抑える無線ＬＡＮ通信システムの態様を示す。
【００６３】
上記基本構成に示した通信範囲制限装置は、デバイスを発見してＰＩＮコード等を送信するＢＬＥ通信機能と、そのＰＩＮコード等を用いてデバイスと無線ＬＡＮ通信を行う無線ＬＡＮ通信機能とを共に搭載する単体装置であった。以下の各実施例では、上記通信範囲制限装置を第一の通信範囲制限装置と第二の通信範囲制限装置のように装置を分けて、ＢＬＥ通信機能と無線ＬＡＮ通信機能とを各装置に別々に搭載する場合の例を示す。
【００６４】
なお、各実施例では、説明を容易にするために、プリンタ装置やプロジェクタ装置などのＢＬＥ通信エリアに常時設置されている通信装置については、参加の意思表明を行うことなく上記基本構成に示した手続きにより無線ＬＡＮ通信回線が確立されるものとする。
【００６５】
「実施例１」
図１３は、実施例１の無線ＬＡＮ通信システムの概要を説明するための模式図である。図１３に示す第一の通信範囲制限装置１００は無線ＬＡＮのアクセスポイントを形成する通信装置である。また、第二の通信範囲制限装置２００はＢＬＥ通信機能を有する通信装置であり、ＢＬＥ通信（第二の通信方式による通信）により通信エリア（第二の通信エリア）内のデバイスの無線ＬＡＮ通信（第一の通信方式による通信）の確立を制限するための処理を行う。実線の楕円で示す無線ＬＡＮ通信エリア１５０は第一の通信範囲制限装置１００の通信範囲（第一の通信エリア）を示し、実線の楕円で示すＢＬＥ通信エリア２５０は第二の通信範囲制限装置２００の通信範囲（第二の通信エリア）を示している。ＢＬＥ通信エリア２５０は、同図に示すように無線ＬＡＮ通信エリア１５０よりも狭い範囲となる。
【００６６】
デバイス３００ａ〜３００ｄは、それぞれ、無線ＬＡＮ通信機能及びＢＬＥ通信機能を有する通信装置である。第一のデバイス３００ａ、第二のデバイス３００ｂ、及び第三のデバイス３００ｃは、ＢＬＥ通信エリア２５０内に入場した通信装置として示している。第四のデバイス３００ｄはＢＬＥ通信エリア２５０外の通信装置として示している。
【００６７】
具体的に、第一のデバイス３００ａは、スマートフォンであり、無線ＬＡＮへ接続することにより、他の通信装置の無線ＬＡＮへの新たな接続（つまり無線ＬＡＮ通信を行うこと）を許可又は拒否する判断装置となっている。第二のデバイス３００ｂはプリンタ装置であり、無線ＬＡＮに接続されたスマートフォンなどから印刷命令があると、無線ＬＡＮに上記基本構成の手順で接続し、その印刷命令に基づいて印刷を行う。第三のデバイス３００ｃ及び第四のデバイス３００ｄは、スマートフォンであり、共に無線ＬＡＮへ未接続の状態のものである。第三のデバイス３００ｃはＢＬＥ通信エリア２５０内に入場しているため無線ＬＡＮへの接続が可能な状態となっている。他方の第四のデバイス３００ｄはＢＬＥ通信エリア２５０外にあるため、無線ＬＡＮへの接続は不可能な状態にある。
【００６８】
なお、第二のデバイス３００ｂをプリンタ装置としたが、これは一例であるため、例えばプロジェクタやスマートフォン等の他の通信装置としても良い。また、第一のデバイス３００ａ、第三のデバイス３００ｃ、及び第四のデバイス３００ｄをスマートフォンとしたが、これも一例であるため、例えば、タブレット端末装置、携帯ゲーム機、ノート型パソコン等の携帯可能な通信装置としても良い。
【００６９】
以下、図１３の模式図を参考に、第三のデバイス３００ｃがユーザの意思表明の基に無線ＬＡＮに接続するための、各種装置の構成及び動作について説明する。
【００７０】
（ハードウェア構成）
先ず、実施例１の第一の通信範囲制限装置１００、第二の通信範囲制限装置２００、各デバイス３００ａ〜３００ｄのハードウェア構成について説明する。
【００７１】
（第一の通信範囲制限装置１００のハードウェア構成）
図１４は、第一の通信範囲制限装置１００のハードウェア構成図である。図１４に示すように、実施例１の第一の通信範囲制限装置１００は、ＣＰＵ１１１、ＲＯＭ１１２、ＲＡＭ１１３、ＨＤＤ１１４、第一のインタフェース（第一のＩ／Ｆ）１１５、及び無線ＬＡＮＡＰ部１１６を有している。ＣＰＵ１１１〜無線ＬＡＮＡＰ部１１６は、バスライン１１８を介して相互に接続されている。
【００７２】
ＲＯＭ１１２には、各デバイス３００ａ〜３００ｄとの無線ＬＡＮ通信回線の確立や切断を行うための無線ＬＡＮ通信制御プログラムＰ１が記憶されている。無線ＬＡＮ通信制御プログラムＰ１は、ＨＤＤ１１４等の他の記憶部に記憶させてもよい。ＣＰＵ１１１は、無線ＬＡＮ通信制御プログラムＰ１に従って動作することで、無線ＬＡＮＡＰ部１１６を制御し、各デバイス３００ａ〜３００ｄとの無線ＬＡＮ通信回線の確立や切断を行うように動作する。
【００７３】
第一のＩ／Ｆ１１５は、不図示の通信ネットワークを介して第二の通信範囲制限装置２００と通信を行うためのインタフェースである。通信ネットワークはＰＩＮコードが漏洩しないように、例えば、セキュリティを高めたＬＡＮ（Local  Area  Network）や、ＶＰＮ（Virtual  Private  Network）などとする。第一のＩ／Ｆ１１５から通信ネットワークへは有線ケーブルなどにより接続する。第一の通信範囲制限装置１００は第一のＩ／Ｆ１１５を介して第二の通信範囲制限装置２００とＰＩＮコードについての情報を交換する。例えば、新たに発行したＰＩＮコードを送信する。ＰＩＮコードは、一つ前に発行したＰＩＮコードが使用される度に新たなＰＩＮコードを発行し、第二の通信範囲制限装置２００に送信する。なお、予め、複数のＰＩＮコードを発行し、それらを使用順序を指定するなどして一括して第二の通信範囲制限装置２００に送信するなど、適宜変形しても良い。
【００７４】
（第二の通信範囲制限装置２００のハードウェア構成）
図１５は、第二の通信範囲制限装置２００のハードウェア構成図である。図１５に示すように、実施例１の第二の通信範囲制限装置２００は、ＣＰＵ１２１、ＲＯＭ１２２、ＲＡＭ１２３、ＨＤＤ１２４、第二のインタフェース（第二のＩ／Ｆ）１２５、及びＢＬＥ通信部１２６を有している。ＣＰＵ１２１〜ＢＬＥ通信部１２６は、バスライン１２８を介して相互に接続されている。
【００７５】
ＲＯＭ１２２には、各デバイス３００ａ〜３００ｄとＢＬＥ通信を行うためのプログラムや無線ＬＡＮへの接続の制限などを行うためのプログラムなどとしてＢＬＥ通信制御プログラムＰ２が記憶されている。ＢＬＥ通信制御プログラムＰ２は、ＨＤＤ１２４等の他の記憶部に記憶させてもよい。ＣＰＵ１２１は、ＢＬＥ通信制御プログラムＰ２に従って動作することで、各デバイス３００ａ〜３００ｄに無線ＬＡＮへの接続や切断を指示するものとして機能する。
【００７６】
第二のＩ／Ｆ１２５は、不図示の通信ネットワークを介して第一の通信範囲制限装置１００の第一のＩ／Ｆ１１５と通信を行うためのインタフェースである。
【００７７】
（第一のデバイス３００ａのハードウェア構成）
図１６は、第一のデバイス３００ａのハードウェア構成図である。図１６に示すように、第一のデバイス３００ａは、ＣＰＵ２１ａ、ＲＯＭ２２ａ、ＲＡＭ２３ａ、表示部２４ａ、マイクロホン部２５ａ、音声認識部１３０ａ、スピーカ部２６ａ、加速度検出部１３１ａを有している。また、第一のデバイス３００ａは、入出力Ｉ／Ｆ２８ａ、無線通信部２９ａ、カメラ部３０ａ、無線ＬＡＮ通信部３１ａ、及び、ＢＬＥ通信部３２ａを有している。各部２１ａ〜３２ａは、バスライン３３ａを介して相互に接続されている。
【００７８】
ＲＯＭ２２ａには、制御プログラムＰ３が記憶されている。具体的に、制御プログラムＰ３には、無線ＬＡＮ通信や、ＢＬＥ通信を行うためのプログラムが含まれる。また、無線ＬＡＮへの接続前に使用する、無線ＬＡＮへの接続を申請するためのプログラムが含まれる。また、無線ＬＡＮへの接続後に使用する、申請中の他の通信装置（本例ではスマートフォン）の無線ＬＡＮへの接続を許可するか拒否するかの判断を行う判断装置としてのプログラムなどが含まれる。ＣＰＵ２１ａは、制御プログラムＰ３に従って動作することにより、無線ＬＡＮへの接続を申請するなどして、接続や切断を行う。また、他機による無線ＬＡＮへの接続を許可するか拒否するかの判断部などとして機能する。
【００７９】
表示部２４ａは、透明電極で形成されたタッチパネルと、表示パネルとを一体的に形成した、いわゆるタッチパネル付表示部となっている。無線通信部２９ａは、所定のキャリアの無線基地局を介して、電話及びメール等の通信を行う。
【００８０】
マイクロホン部２５ａは、音声を電気信号に変換するなどしてデジタル音声信号（音声情報）を生成する。
音声認識部１３０ａは、マイクロホン部２５ａで生成されたデジタル音声信号を基に音声の内容を言葉として認識して文字データ（文字情報）を生成する。
スピーカ部２６ａは、ＣＰＵ２１ａが再生する音声データを音声として空気中を伝搬させる。
加速度検出部１３１ａは、加速度方位センサである。加速度検出部１３１ａは、自機の加速度や移動する向きを検出する。
【００８１】
（第三のデバイス３００ｃのハードウェア構成）
図１７は、第三のデバイス３００ｃのスマートフォンとしてのハードウェア構成図である。図１７に示すハードウェア構成は、図１６に示す第一のデバイス３００ａのハードウェア構成と同様である。説明は繰り返しになるため省略する。
第四のデバイス３００ｄについては図示を省略するが、ハードウェア構成は第一のデバイス３００ａや第三のデバイス３００ｃと同様のものとなる。
【００８２】
第二のデバイス３００ｂのハードウェア構成は、図４に示すプリンタ装置３のハードウェア構成と同様である。ここでの図示及び説明は繰り返しになるため省略する。
【００８３】
（ソフトウェア構成）
次に、ソフトウェア構成を機能別に説明する。
（第一の通信範囲制限装置１００のソフトウェア構成）
図１８は、第一の通信範囲制限装置１００のＣＰＵ１１１の機能ブロック図である。
ＣＰＵ１１１は、無線ＬＡＮ通信制御プログラムＰ１（図１４参照）を実行することにより、第一のデバイス接続部７５０、第一の周辺機器接続部７６０、及び無線ＬＡＮＡＰ制御部７８として機能する。
【００８４】
（第二の通信範囲制限装置２００のソフトウェア構成）
図１９は、第二の通信範囲制限装置２００のＣＰＵ１２１の機能ブロック図である。
ＣＰＵ１２１は、ＢＬＥ通信制御プログラムＰ２（図１５参照）を実行することにより、第二のデバイス接続部７５１、第二の周辺機器接続部７６１、離脱検知部７７、及びＢＬＥ通信制御部７９として機能する。第二のデバイス接続部７５１は、ＢＬＥ通信エリア２５０内に第三のデバイス３００ｃが位置していること（これを第一の情報と呼ぶ）を検知する検知部などとして機能する。離脱検知部７７は、ＢＬＥ通信制御部７９からの通知により、ＢＬＥ通信部１２６で受信した応答情報を参照し、第三のデバイス３００ｃが退場エリアにあることを検知する。この検知により、離脱検知部７７は第三のデバイス３００ｃに確立した無線ＬＡＮ通信を切断する切断部として機能する。
【００８５】
（デバイスのソフトウェア構成）
次に、実施例１の各デバイス３００ａ〜３００ｄの機能について説明する。
第一のデバイス３００ａ、第三のデバイス３００ｃ、及び第四のデバイス３００ｄは、本実施例においては同様の機能を有する。このため、以下では、各デバイスが図１３に示す各状態のときに使用する主な機能について説明する。
【００８６】
（第一のデバイス３００ａのソフトウェア構成）
図２０は、第一のデバイス３００ａのＣＰＵ２１ａの機能ブロック図である。
ＣＰＵ２１ａは、制御プログラムＰ３（図１６参照）を実行することにより、第一の判断部８００ａ、無線ＬＡＮ通信制御部８２ａ、及びＢＬＥ通信制御部８３ａを生成し、判断装置として機能する。
【００８７】
第一の判断部８００ａは、取得部８０１ａ、判断部８０２ａ、及び許可部８０３ａを有する。取得部８０１ａは、他の通信装置においてそのユーザが無線ＬＡＮへの接続の申請のために行った動作に対応するデータ（許可判断データ）を取得する。具体的に、他の通信装置では、そのユーザが無線ＬＡＮへの接続の申請のために所定の動作を行う。他の通信装置は、その動作を検知すると、予め登録された所定のデータや、その動作をデータ化したものを許可判断データとして第二の通信範囲制限装置２００に送信する。実施例１では、許可判断データとしてアニメーションデータを送信する場合の例を示す。他の通信装置から送信されたアニメーションデータは第二の通信範囲制限装置２００を介してＢＬＥ通信部３２ａにより受信される。取得部８０１ａは、そのアニメーションデータを、無線ＬＡＮへの接続を許可するか拒否するかを判断するための許可判断データとして取得し、ＲＡＭなどに一時的に保存する。続いて、判断部８０２ａは、取得部８０１ａが取得したデータを自機のユーザ（この場合、管理者としての権限を有する者）が確認できるように再生し、自機のユーザから無線ＬＡＮへの接続の許可又は拒否を示す情報の入力（信号入力）を受け付ける。具体的に、判断部８０２ａは、ＲＡＭに一時的に保存されたアニメーションデータを所定のソフトウェアを起動するなどして再生して表示部２４ａの表示画面に表示する。また、無線ＬＡＮへの接続の許可又は拒否を第一のデバイス３００ａのユーザが選択的に指示することのできる例えばボタン等を表示画面に表示して、許可又は拒否の情報の入力を受け付ける。許可部８０３ａは、自機のユーザから許可を示す情報の入力を受け付けると、第二の通信範囲制限装置２００に接続の許可（つまり無線ＬＡＮ通信回線の確立の許可）を示す信号を送信する指示をＢＬＥ通信制御部８３ａに出力する。これにより、ＢＬＥ通信部３２ａを介して許可信号が第二の通信制限装置２００に送信される。
【００８８】
（第三のデバイス３００ｃのソフトウェア構成）
図２１は、第三のデバイス３００ｃのＣＰＵ２１ｃの機能ブロック図である。  
ＣＰＵ２１ｃは、制御プログラムＰ３（図１７参照）を実行することにより、第一の生成部８０１ｃ、無線ＬＡＮ通信制御部（第一の通信部）８２ｃ、及びＢＬＥ通信制御部（第二の通信部）８３ｃとして機能する。
【００８９】
ＢＬＥ通信制御部８３ｃは、アドバタイズメントパケットを受信するなどして自機がＢＬＥ通信エリア内に位置していること（第一の情報）を検知する検知部などとしても機能する。
無線ＬＡＮ通信制御部８２ｃは、自機がＢＬＥ通信エリア外に移動した場合に無線ＬＡＮ通信を切断する切断部などとしても機能する。
第一の生成部８０１ｃは、自機がＢＬＥ通信エリア内に位置している場合に、自機を無線ＬＡＮに接続するための申請データを生成する。例えば、第一の生成部８０１ｃは、接続の許可を要求する申請要求と、申請先で許可するか拒否するかの判断に用いる許可判断データ（実施例１ではアニメーション情報）を生成する。具体例を挙げると、先ず、ユーザが第三のデバイス３００ｃを振る。この一定期間、第一の生成部８０１ｃは、第三のデバイス３００ｃの加速度と方位を示すデータを加速度検出部１３１ｃから連続して読み取り、時系列順の加速度と方位を示すデータをＲＡＭ２３ｃに保存する。第一の生成部８０１ｃは、ＲＡＭ２３ｃに保存した時系列順のデータにおいて加速度が所定の閾値を超えた場合に、ユーザが自機に対して所定の動作を行ったことを第二の検知部として検知する。それから、ＲＡＭ２３ｃに保存した時系列順のデータを予め用意したスマートフォンの形状モデルにパラメータの値として時系列順に与えることにより、スマートフォンの姿勢及び位置が時系列順に変化する様子をアニメーションのデータとして生成する。ここで、第一の生成部８０１ｃは、ユーザの所定の動作を検知すると、アニメーションデータを生成するものとした。しかし、それ以外にも、例えばユーザが予めＲＯＭ２２ｃなどのメモリ部に所定のアニメーションデータを登録し、そのアニメーションデータを第一の生成部８０１ｃがユーザの所定の動作を検知したときにメモリ部から読み出すように変形しても良い。
【００９０】
第二のデバイス３００ｂのソフトウェア構成は、図８に示すものと同様である。このため、ここでの図示及び説明は省略する。
第四のデバイス３００ｄのソフトウェア構成は、第三のデバイス３００ｃと同様である。このため、図示及び説明を省略する。
【００９１】
（第三のデバイス３００ｃの接続動作）
次に、第三のデバイス３００ｃの無線ＬＡＮへの接続動作について説明する。
図２２は、第三のデバイス３００ｃがＢＬＥ通信エリア２５０内に入場した場合の、無線ＬＡＮ通信回線の確立の流れを示すシーケンス図である。
【００９２】
先ず、第二の通信範囲制限装置２００が送信したアドバタイズメントパケットを第三のデバイス３００ｃが受信する（Ｓ６１）。具体的に、第二の通信範囲制限装置２００の第二のデバイス接続部７５１は、ここでは検知部として機能し、ＢＬＥ通信エリア２５０の通信範囲情報等を示すアドバタイズメントパケットの送信をＢＬＥ通信制御部７９に指示する。ＢＬＥ通信制御部７９は、ＢＬＥ通信部１２６を介し、ＢＬＥ通信エリア２５０内の通信装置（以下、機器とも呼ぶ）にアドバタイズメントパケットを送信する。第二の通信範囲制限装置２００は、そのようなアドバタイズメントパケットの送信を例えば２００ｍｓ間隔などで定期的に行う。これにより、第二の通信範囲制限装置２００の位置をＢＬＥ通信エリア２５０内の各機器に知らせる。一方、第三のデバイス３００ｃはＢＬＥ通信エリア２５０内に入場すると、ステップＳ６１に示すように第二の通信範囲制限装置２００からアドバタイズメントパケットを受信する。
【００９３】
次に、第三のデバイス３００ｃが第二の通信範囲制限装置２００に対して応答情報を返信する（Ｓ６２）。具体的に、第三のデバイス３００ｃは、ステップＳ６１においてアドバタイズメントパケットをＢＬＥ通信部３２ｃで受信する。ＢＬＥ通信制御部８３ｃは、このとき検知部として機能し、その受信パケットの示す通信範囲情報と自機の位置との比較から自機がＢＬＥ通信エリア２５０内に位置しているか否かを判別する。自機の位置は内蔵のＧＰＳ機能等を利用して取得する。ＢＬＥ通信制御部８３ｃは、その判別結果を示す応答情報を、ＢＬＥ通信部３２ｃを介して第二の通信範囲制限装置２００に送信する。
【００９４】
なお、図示を省略しているが、この応答情報がＢＬＥ通信エリア２５０内に第三のデバイス３００ｃがあることを示すもの（第一の情報）であるとする。この場合、第二の通信範囲制限装置２００の第二のデバイス接続部７５１は、検知部として機能し、ＢＬＥ通信エリア２５０内に第三のデバイス３００ｃがあることを検知する。そして、第三のデバイス３００ｃとＢＬＥペアリングを行う。このＢＬＥペアリングで、第二の通信範囲制限装置２００と第三のデバイス３００ｃとの間のＢＬＥ通信を確立する。以下においても、特に説明しない限り、第二の通信範囲制限装置２００は、ＢＬＥ通信を行う相手機器とＢＬＥペアリングを行う。ＢＬＥ通信の通信相手を変える場合には、そのときの通信相手とのＢＬＥペアリングを一旦切断し、別の通信相手とＢＬＥペアリングを確立する。また、元の通信相手とＢＬＥ通信を行う場合には、ＢＬＥ通信時に取得した相手の個体識別情報などを使用して元の通信相手を呼び出すなどして、ＢＬＥペアリングを再確立する。
【００９５】
ＢＬＥペアリングの完了後、続いて、第二の通信範囲制限装置２００が無線ＬＡＮへの接続の申請を行う旨の要求信号（合図情報）をＢＬＥ通信により第三のデバイス３００ｃに対して送信する（Ｓ６３）。第三のデバイス３００ｃは、その要求信号をＢＬＥ通信部３２ｃで受信すると、ＢＬＥ通信制御部８３ｃが第一の生成部８０１ｃに通知する。
【００９６】
続いて、第一の生成部８０１ｃは、例えば表示部２４ｃの表示画面に無線ＬＡＮへの接続の申請を行う旨のメッセージ情報を表示し、申請のためにユーザが行う所定の動作をデータとして生成する（Ｓ６４）。具体的に、第一の生成部８０１ｃは、上記メッセージ情報と申請開始ボタンとを表示する（図２３参照）。続いて、ユーザが申請開始のボタンを押下した場合に、第一の生成部８０１ｃは、その後の一定期間、加速度検出部１３１ｃの出力をＲＡＭ２３ｃに書き出す。この一定期間に、ユーザは第三のデバイス３００ｃを振るなどの所定の動作を行う。そして、第一の生成部８０１ｃは、その動作を検知し、一定期間にＲＡＭ２３ｃに書き出した時系列順の出力値（加速度や方向を示す値）を基に、一定期間内の第三のデバイス３００ｃの動作（姿勢や移動）をアニメーションにより再現するデータとして生成する。
【００９７】
第一の生成部８０１ｃは、データ生成後、申請データの送信をＢＬＥ通信制御部８３ｃに依頼し、その申請データをＢＬＥ通信により第二の通信範囲制限装置２００に送信する（Ｓ６５）。申請データには、無線ＬＡＮへの接続を申請する申請要求や、ユーザが行った所定の動作をアニメーションにより再現するための許可判断データや、第三のデバイス３００ｃのデバイス情報等を含める。
【００９８】
次に、第二の通信範囲制限装置２００は第三のデバイス３００ｃから送信された申請データをＢＬＥ通信により受信し、申請データに基づく許可／拒否の判断を第一のデバイス３００ａにＢＬＥ通信により依頼する（Ｓ６６）。具体的に、第二の通信範囲制限装置２００は、第三のデバイス３００ｃから送信された申請データをＢＬＥ通信部１２６で受信する。第二のデバイス接続部７５１は依頼部として、申請データをＢＬＥ通信制御部７９からの通知により検出し、申請データに含まれる第三のデバイス３００ｃの機種やアニメーション用のデータ（許可判断データ）を依頼命令に組み込む。そして、その依頼データを第一のデバイス３００ａに送信する。
【００９９】
なお、第二の通信範囲制限装置２００は、ＢＬＥ通信エリア２５０内の各機器の無線ＬＡＮへの接続や切断を管理するため、そのときに無線ＬＡＮに接続されている機器を全て把握している。従って、第二の通信範囲制限装置２００は、そのときに無線ＬＡＮに接続されている機器を第一のデバイス３００ａに指定し、その機器に対して上記依頼データをＢＬＥ通信により送信する。指定する機器は、予め権限情報を与えた特定の機器であっても良いし、そのときに接続されている機器の中から任意に決めた一つ又は複数の機器であっても良い。また、第三のデバイス３００ｃからＢＬＥ通信の確立の際に位置情報を取得している場合には、第三のデバイス３００ｃの内の最も近い機器を送信先に指定しても良い。
【０１００】
ステップＳ６６の後、第一のデバイス３００ａは、アニメーション用のデータ等を再生する（Ｓ６７）。具体的に、第一のデバイス３００ａは、第二の通信範囲制限装置２００から送信された依頼データをＢＬＥ通信部３２ａで受信する。第一の判断部８００ａは、依頼データの受信をＢＬＥ通信制御部８３ａからの通知により検出する。第一の判断部８００ａは、依頼データを検出すると、例えば依頼データに含まれるデバイス（この例では第三のデバイス３００ｃ）の機種名を表示し、アニメーション用のデータを再生する（図２４参照）。また、許可又は拒否を示す信号を第二の通信範囲制限装置２００に返信するための選択ボタンを表示する。これにより、アニメーションにより再現された動作が、無線ＬＡＮへの接続の意思を表明する所定の動作であるかどうかを第一のデバイス３００ａのユーザ（無線ＬＡＮ接続の管理者、判断担当者）が判断し、許可又は拒否を第二の通信範囲制限装置２００に指示する。
【０１０１】
なお、許可の判断は、例えば無線ＬＡＮ接続の管理者となったユーザが近くでアニメーションと同様の動作を行ったものを見つけた場合や、予め決めた所定の動作と同じアニメーションが再生された場合とすることができるが、これらに限らず、適宜設定しても良い。
【０１０２】
次に、第一のデバイス３００ａは接続の許可又は拒否を示す信号をＢＬＥ通信により第二の通信範囲制限装置２００に送信する（Ｓ６８）。具体的に、第一のデバイス３００ａのユーザは、表示画面上でアニメーションで確認した動作が所定の動作であった場合、許可ボタンを押下する。第一の判断部８００ａは、その入力を検出すると、接続の許可を示す信号を第二の通信範囲制限装置２００に送信するようにＢＬＥ通信制御部８３ａに指示する。これにより、ＢＬＥ通信制御部８３ａは、ＢＬＥ通信部３２ａを介して第二の通信範囲制限装置２００に接続許可信号を送信する。
【０１０３】
次に、第二の通信範囲制限装置２００はセットアップ情報（設定情報）をＢＬＥ通信により第三のデバイス３００ｃに送信する（Ｓ６９）。具体的に、第二の通信範囲制限装置２００は、第一のデバイス３００ａからの接続許可信号をＢＬＥ通信部１２６で受信する。第二のデバイス接続部７５１は、接続許可信号の受信をＢＬＥ通信制御部７９からの通知により検出する。第二のデバイス接続部７５１は、その検出により、セットアップ情報としてＷＰＳ方式のＰＩＮコードを第三のデバイス３００ｃに送信する指示をＢＬＥ通信制御部７９に行う。これにより、ＢＬＥ通信制御部７９がＢＬＥ通信部１２６を介して第三のデバイス３００ｃにＰＩＮコードを送信する。なお、ＰＩＮコードは、第一の通信範囲制限装置１００において発行され、予め不図示の通信ネットワークを介して受け取ったＰＩＮコードである。
【０１０４】
次に、第三のデバイス３００ｃにおいて、ＢＬＥ通信制御部８３ｃが無線ＬＡＮ通信制御部８２ｃに対してＷＰＳ方式の通信開始準備指示を行う。具体的に、第二の通信範囲制限装置２００から送信されたＰＩＮコードは、ＢＬＥ通信部３２ｃが受信する。ＢＬＥ通信制御部８３ｃは、設定情報受付部として上記ＰＩＮコードを受け付ける。そして、ＢＬＥ通信制御部８３ｃは、そのＰＩＮコードを無線ＬＡＮ通信制御部８２ｃに渡し、ＷＰＳ方式の通信開始準備指示を行う（Ｓ７０）。これにより、無線ＬＡＮ通信制御部８２ｃは無線ＬＡＮ通信部３１ｃのセットアップを行う（Ｓ７２）。
【０１０５】
また、無線ＬＡＮ通信制御部８２ｃは第一の通信範囲制限装置１００の無線ＬＡＮＡＰ制御部７８にＷＰＳ方式の通信開始準備指示を行う（Ｓ７１）。これにより、無線ＬＡＮＡＰ制御部７８は無線ＬＡＮＡＰ部１１６のセットアップを行う（Ｓ７３）。ステップＳ７３において、無線ＬＡＮＡＰ制御部７８は、第二の通信範囲制限装置２００に予め送信したＰＩＮコードを用いて無線ＬＡＮＡＰ部１１６のセットアップを行う。
【０１０６】
こうして第三のデバイス３００ｃ及び第一の通信範囲制限装置１００は無線ＬＡＮ通信回線を確立し、第三のデバイス３００ｃは無線ＬＡＮ通信ネットワークへ参加できるようになる。
【０１０７】
ステップＳ６８以下では、無線ＬＡＮ接続の管理者が無線ＬＡＮへの接続を許可した場合のシーケンスを示した。ステップＳ６８で無線ＬＡＮ接続の管理者が無線ＬＡＮへの接続を拒否した場合のシーケンスは例えば次のようになる。
【０１０８】
先ず、ステップＳ６８において、第一のデバイス３００ａが第二の通信範囲制限装置２００に接続の拒否を示す信号を送信する。すると、第二の通信範囲制限装置２００は第三のデバイス３００ｃにかかる個体識別コード等を接続不可の分類として管理するなどして、その第三のデバイス３００ｃからの再度の無線ＬＡＮへの接続要求を拒否する。具体的に、第二の通信範囲制限装置２００は、ＢＬＥ通信により第三のデバイス３００ｃに接続拒否を示す情報を通知してＢＬＥ通信を切断する。その後は、アドバタイズパケットを送信後にその第三のデバイス３００ｃからＢＬＥ通信エリア内を示す応答情報があっても、ＢＬＥペアリングの確立を行わない。なお、個体識別コード等を接続不可の分類から削除する期間は適宜決めて良い。削除後は、新規の入場機器としてステップＳ６１からのシーケンスが実行される。
【０１０９】
ステップＳ６５では、アニメーション用のデータの生成後に申請データの送信を依頼するものとして説明した。しかし、アニメーション用のデータの生成後に、そのアニメーションを第三のデバイス３００ｃ上で再生してから申請データの送信を依頼するようにしても良い。例えば、アニメーション用データの生成後、第三のデバイス３００ｃが表示画面上にアニメーション用のデータを再生する。また、その表示画面上に「申請の実行」及び「動作のやり直し」を含む選択ボタンを表示する。ユーザが、再生されたアニメーションで良ければ「申請の実行」ボタンを選択し、申請データを送信させる。ユーザが「動作のやり直し」ボタンを選択した場合は、ステップＳ６４の処理に戻り、申請のための動作をやり直し、その動作をアニメーション化する。
【０１１０】
（スマートフォンの表示画面例）
図２３は、ステップＳ６４において第三のデバイス３００ｃの表示画面に表示する画面情報の一例を示す図である。図２３においては、画面情報Ｇ１に、無線ＬＡＮへの接続の申請を行う旨のメッセージ情報Ｊ１と、申請開始ボタンＢ１とを設けている。
【０１１１】
図２４は、ステップＳ６７において第一のデバイス３００ａの表示画面に表示する画面情報の一例を示す図である。図２４においては、画面情報Ｇ２に、機種名を示す情報Ｊ２と、アニメーション再生領域Ｊ３と、許可ボタンＢ２、拒否ボタンＢ３を設けている。アニメーション再生領域Ｊ３には、第三のデバイス３００ｃのユーザが行った所定動作をアニメーションＤ１として表示する。なお、アニメーションＤ１中の破線は動作の軌跡を示したものである。
【０１１２】
（印刷動作）
無線ＬＡＮ通信回線へ接続した第三のデバイス３００ｃが印刷を行う動作は、図１０、図１１に示す流れに対応する。繰り返しとなるため、ここでの説明は省略する。
【０１１３】
（切断動作）
次に、第三のデバイス３００ｃの無線ＬＡＮ通信回線からの切断動作について説明する。
図２５は、第三のデバイス３００ｃがＢＬＥ通信エリア２５０外に退場した場合の、無線ＬＡＮ通信回線の切断の流れを示すシーケンス図である。
先ず、第二の通信範囲制限装置２００が送信したアドバタイズメントパケットを第三のデバイス３００ｃが受信する（Ｓ８１）。
【０１１４】
次に、第三のデバイス３００ｃが第二の通信範囲制限装置２００に対して応答情報を返信する（Ｓ８２）。具体的に、第三のデバイス３００ｃは、ステップＳ８１においてアドバタイズメントパケットをＢＬＥ通信部３２ｃで受信する。ＢＬＥ通信制御部８３ｃは、その受信パケットの示す通信範囲情報と自機の位置との比較から自機がＢＬＥ通信エリア２５０から退場するエリアに位置しているか否かを判別する。ここで退場するエリアとは、ＢＬＥ通信エリア２５０とその外部エリアとの境界近傍に位置する、ＢＬＥ通信エリア２５０の内側の所定範囲のエリアのことを指す。つまり、このエリアでは第三のデバイス３００ｃは第二の通信範囲制限装置２００からアドバタイズメントパケットを受信することができる。第三のデバイス３００ｃは、無線ＬＡＮへの接続後、自機が退場エリアにある場合に、自機がＢＬＥ通信エリアから退場する旨を示す応答情報をＢＬＥ通信部３２ｃを介して第二の通信範囲制限装置２００に送信する。
【０１１５】
次に、第二の通信範囲制限装置２００は、第三のデバイス３００ｃに対して無線ＬＡＮ通信回線の切断指示情報を送信する（Ｓ８３）。具体的に、第二の通信範囲制限装置２００では、ＢＬＥ通信部１２６が応答情報を受信する。離脱検知部７７はＢＬＥ通信制御部７９からの通知により、ＢＬＥ通信部１２６で受信した応答情報を参照し、第三のデバイス３００ｃが退場エリアにあることを検知する。この検知により、離脱検知部７７は第三のデバイス３００ｃに対する切断指示情報の送信をＢＬＥ通信制御部７９に指示し、ＢＬＥ通信制御部７９はＢＬＥ通信部１２６を介して第三のデバイス３００ｃに切断指示情報を送信する。
【０１１６】
次に、第三のデバイス３００ｃは、切断指示情報を受信すると、無線ＬＡＮ通信回線の切断を行う。具体的に、第三のデバイス３００ｃは、ＢＬＥ通信部３２ｃが切断指示情報を受信するとＢＬＥ通信制御部８３ｃが無線ＬＡＮ通信制御部８２ｃに対して無線ＬＡＮ通信回線の切断を指示する（Ｓ８４）。これにより、無線ＬＡＮ通信制御部８２ｃが無線ＬＡＮ通信部３１ｃに対して無線ＬＡＮ通信回線の切断処理を行う（Ｓ８６）。
【０１１７】
次に、第三のデバイス３００ｃは、第一の通信範囲制限装置１００に対して無線ＬＡＮ通信回線の切断指示情報を送信する。具体的に、第三のデバイス３００ｃは無線ＬＡＮ通信制御部８２ｃが無線ＬＡＮ通信部３１ｃを介して第一の通信範囲制限装置１００に無線ＬＡＮ通信回線の切断指示情報を送信する（Ｓ８５）。これにより、第一の通信範囲制限装置１００の無線ＬＡＮＡＰ制御部７８が無線ＬＡＮＡＰ部１１６に対して無線ＬＡＮ通信回線の切断処理を行う（Ｓ８７）。
【０１１８】
（実施例１の効果）
以上に示す実施例１の無線ＬＡＮ通信システムでは、無線ＬＡＮ通信のエリア内に、それよりも狭いエリアのＢＬＥ通信エリアを形成し、当該ＢＬＥ通信エリア内に入場した機器に対して無線ＬＡＮ通信回線の接続を可能にした。また、ＢＬＥ通信エリアに入場した機器を無線ＬＡＮ通信回線に接続させるか否かの判断を、その機器のユーザに所定の動作を行わせることにより接続を申請させ、その申請内容をＢＬＥ通信エリア内の他のユーザ（管理者）が確認するなどの手続きを通して行った。所定の動作として、ユーザが機器を振る動作を例に、この動作をアニメーション化して、管理者が表示画面で確認できるようにした。
【０１１９】
これにより、管理者は、アニメーションで示される動作が予め決められた所定の動作であるかを確認し、所定の動作とは異なる場合に例えば部外者や接続する意思のない者と判断し、その接続を拒否することができる。また、ＢＬＥ通信エリアのような狭いエリアであれば、接続を申請するユーザと管理者との距離は近いので、管理者は、接続を申請するユーザの動作を目視により確認し、更にその動作をアニメーションによりチェックすることができる。管理者は接続を申請するユーザを直接的に確認することができるので、動作を行った人物を申請者として特定し、人物確認で拒否することも可能となる。
【０１２０】
（実施例１の変形）
以上では、所定の動作として機器を振る動作を示したが、これにより所定の動作を限定するものではない。無線ＬＡＮへの接続の意思をユーザに表明させるものであれば他の動作であっても良い。例えば機器に対してユーザが音声を吹き込む動作や、機器の表示画面を指でなぞる動作など、適宜他の動作を取り入れても良い。
【０１２１】
以上では、無線ＬＡＮへの接続を申請する機器を無線ＬＡＮへ接続させるか拒否するかの判断を、既に無線ＬＡＮに接続している機器において行ったが、これに限らず、ＰＩＮコードを配布する第二の通信範囲制限装置２００が判断を行うなどとしても良い。
【０１２２】
また、第一の通信範囲制限装置１００と第二の通信範囲制限装置２００を一体にしても良い。
【０１２３】
「実施例２」
実施例２では、所定の動作としてユーザが音声を第三のデバイス３００ｃに吹き込み、その吹き込まれた音声を管理者が第一のデバイス３００ａで音声データとして再生して接続の許可／拒否を判断する態様を示す。以下では、実施例１と共通する箇所に同一番号を付し、その説明を適宜省略する。
【０１２４】
実施例２は、主に、第一のデバイス３００ａと第三のデバイス３００ｃの機能ブロックの構成が実施例１とは異なる。従って、ここでは主に機能ブロックや、それに伴う接続動作等について説明する。
【０１２５】
（実施例２の第一のデバイス３００ａのソフトウェア構成）
図２６は、実施例２の第一のデバイス３００ａのＣＰＵ２１ａの機能ブロック図である。図２６に示すように、実施例２の第一のデバイス３００ａは、第二の判断部８１０ａ、無線ＬＡＮ通信制御部８２ａ、及びＢＬＥ通信制御部８３ａとして機能する。
【０１２６】
第二の判断部８１０ａは、主に、実施例１の第一の判断部８００ａが扱うアニメーションデータとは異なる種類のデータを扱うところが異なる。具体的に、第二の判断部８１０ａは、第三のデバイス３００ｃで生成された申請用の音声データ（音声情報）を受け付け、その音声データを再生してスピーカ部２６ａからその音声を出力させる。そして、第二の判断部８１０ａは、音声データの再生後、第一のデバイス３００ａのユーザから許可又は拒否を示す情報の入力を受け付ける。
【０１２７】
なお、無線ＬＡＮ通信制御部８２ａ及びＢＬＥ通信制御部８３ａは、実施例１の第一のデバイス３００ａの機能ブロック図（図２０参照）において説明済みであるため、ここでの説明は省略する。
【０１２８】
（実施例２の第三のデバイス３００ｃのソフトウェア構成）
図２７は、実施例２の第三のデバイス３００ｃのＣＰＵ２１ｃの機能ブロック図である。図２７に示すように、実施例２の第三のデバイス３００ｃは、第二の生成部８１１ｃ、無線ＬＡＮ通信制御部８２ｃ、及びＢＬＥ通信制御部８３ｃとして機能する。
【０１２９】
第二の生成部８１１ｃは、接続の許可を要求する申請要求と、許可判断データとして音声データ（音声情報）を生成する。第二の生成部８１１ｃは、第三のデバイス３００ｃのマイクロホン部２５ｃと協働し、ユーザがマイクロホン部２５ｃに向けて吹き込んだ音声を検知し、その音声をデジタル化して音声データを生成する。ここで、第二の生成部８１１ｃは、ユーザの音声を検知すると、その音声をデータ化するものとした。しかし、それ以外にも、例えばユーザが予めＲＯＭ２２ｃなどのメモリ部に所定の音声データを登録し、その音声データを第二の生成部８１１ｃがユーザの音声を検知したときにメモリ部から読み出すように変形しても良い。
【０１３０】
なお、無線ＬＡＮ通信制御部８２ｃ及びＢＬＥ通信制御部８３ｃは、実施例１の第一のデバイス３００ｃの機能ブロック図（図２１参照）において説明済みであるため、ここでの説明は省略する。
【０１３１】
（実施例２の第三のデバイス３００ｃの接続動作）
実施例２の第三のデバイス３００ｃの無線ＬＡＮへの接続動作では、実施例１に示す接続動作（図２２参照）の主にステップＳ６４〜Ｓ６８において次の処理を行う。
【０１３２】
ステップＳ６４において、第二の生成部８１１ｃは、表示部２４ｃの表示画面に無線ＬＡＮへの接続の申請を行う旨のメッセージ情報と申請開始ボタンとを表示する（図２３参照）。ユーザが申請開始のボタンを押下すると、第二の生成部８１１ｃは、その後の一定期間、マイクロホン部２５ｃから音声を入力して音声データを生成し、ＲＡＭ２３ｃに保存する。この一定期間に、ユーザはマイクロホン部２５ｃに向かって申請のための所定の言葉、例えば「無線ＬＡＮへの接続を申請します」などと発する。
【０１３３】
ステップＳ６５において、第二の生成部８１１ｃは、申請データとして上記音声データの送信を依頼し、ＢＬＥ通信制御部８３ｃが申請データを第二の通信範囲制限装置２００に送信する。申請データには、ユーザの発した言葉の音声データの他、無線ＬＡＮへの接続を申請する申請要求や、第三のデバイス３００ｃのデバイス情報等を含める。
【０１３４】
ステップＳ６６において、第二の通信範囲制限装置２００は第三のデバイス３００ｃから送信された申請データをＢＬＥ通信により受信し、申請データに基づく許可／拒否の判断を第一のデバイス３００ａにＢＬＥ通信により依頼する。第二の通信範囲制限装置２００は、その依頼の際に、申請データに含まれる第三のデバイス３００ｃの機種や音声データを依頼命令に組み込み、第一のデバイス３００ａに送信する。
【０１３５】
ステップＳ６７において、第一のデバイス３００ａは、音声データを再生する。具体的に、第一のデバイス３００ａは、第二の通信範囲制限装置２００から送信された依頼データをＢＬＥ通信部３２ａで受信する。第二の判断部８１０ａは、依頼データの受信をＢＬＥ通信制御部８３ａからの通知により検出する。第二の判断部８１０ａは、依頼データを検出すると、例えば依頼データに含まれる第三のデバイス３００ｃの機種名や、許可又は拒否の選択ボタン等を表示する（図２８参照）。更に、第二の判断部８１０ａは、音声データを再生し、スピーカ部２６ａからその音声を出力させる。
【０１３６】
ステップＳ６８において、第一のデバイス３００ａは接続の許可又は拒否を示す信号をＢＬＥ通信により第二の通信範囲制限装置２００に送信する。具体的に、第一のデバイス３００ａのユーザは、音声データが所定の内容であった場合、許可ボタンを押下する。第二の判断部８１０ａは、その入力を検出すると、接続の許可を示す信号を第二の通信範囲制限装置２００に送信するようにＢＬＥ通信制御部８３ａに指示する。これにより、ＢＬＥ通信制御部８３ａは、ＢＬＥ通信部３２ａを介して第二の通信範囲制限装置２００に接続許可信号を送信する。
【０１３７】
（スマートフォンの表示画面例）
図２８は、ステップＳ６７において実施例２の第一のデバイス３００ａの表示画面に表示する画面情報の一例を示す図である。図２８においては、画面情報Ｇ３に、機種名を示す情報Ｊ２と、音声データの再生中を示す情報Ｊ１３と、許可ボタンＢ２、拒否ボタンＢ３を設けている。
【０１３８】
（実施例２の効果）
以上では、所定の動作として、ユーザが第三のデバイス３００ｃに音声を吹き込み、この動作により得られた音声データを管理者側で再生できるようにした。これにより、管理者は、再生された音声が予め決められた内容であるかを確認し、予め決められた内容とは異なる場合に例えば部外者や接続する意思のない者と判断し、その接続を拒否することができる。また、ＢＬＥ通信エリアのような狭いエリアであれば、接続を申請するユーザと管理者との距離は近い。このため、管理者は、接続を申請するユーザが第三のデバイス３００ｃに音声を吹き込む動作を目視により確認し、更にその動作により得られる音声データを自機（第一のデバイス３００ａ）で再生して確認できる。管理者は接続を申請するユーザの動作を直接的に確認することができるので、申請を行った人物を特定し、人物確認で拒否することも可能となる。
【０１３９】
「実施例３」
実施例３では、ユーザが吹き込んだ音声を文字認識させて、管理者が第一のデバイス３００ａでその文字データを確認することにより接続の許可／拒否を判断する態様を示す。
実施例３も、実施例２と同様、主に第一のデバイス３００ａと第三のデバイス３００ｃの機能ブロックの構成が実施例１と異なる。従って、ここにおいても主に機能ブロックや、それに伴う接続動作等について説明する。
【０１４０】
（実施例３の第一のデバイス３００ａのソフトウェア構成）
図２９は、実施例３の第一のデバイス３００ａのＣＰＵ２１ａの機能ブロック図である。図２９に示すように、実施例３の第一のデバイス３００ａは、第三の判断部８２０ａ、無線ＬＡＮ通信制御部８２ａ、及びＢＬＥ通信制御部８３ａとして機能する。
【０１４１】
第三の判断部８２０ａは、主に、実施例１の第一の判断部８００ａが扱うアニメーションデータとは異なる種類のデータを扱うところが異なる。具体的に、第三の判断部８２０ａは、第三のデバイス３００ｃで生成された申請用の文字データ（文字情報）を受け付け、その文字データを表示部２４ａの表示画面に表示させる。そして、第三の判断部８２０ａは、文字データの表示と共に第一のデバイス３００ａのユーザから許可又は拒否を示す情報の入力を受け付ける。
【０１４２】
なお、無線ＬＡＮ通信制御部８２ａ及びＢＬＥ通信制御部８３ａは、実施例１の第一のデバイス３００ａの機能ブロック図（図２０参照）において説明済みのため、ここでの説明は省略する。
【０１４３】
（実施例３の第三のデバイス３００ｃのソフトウェア構成）
図３０は、実施例３の第三のデバイス３００ｃのＣＰＵ２１ｃの機能ブロック図である。図３０に示すように、実施例３の第三のデバイス３００ｃは、第三の生成部８２１ｃ、無線ＬＡＮ通信制御部８２ｃ、及びＢＬＥ通信制御部８３ｃとして機能する。
【０１４４】
第三の生成部８２１ｃは、接続の許可を要求する申請要求と、許可判断データとして申請用の文字データ（文字情報）を生成する。第三の生成部８２１ｃは、第三のデバイス３００ｃのマイクロホン部２５ｃと協働し、ユーザがマイクロホン部２５ｃに向けて吹き込んだ音声を検知し、その音声をデジタル化して音声データを生成する。更に、第三の生成部８２１ｃは、生成した音声データを音声認識部１３０ｃに出力して文字認識処理させることにより申請用の文字データを取得する。ここで、第三の生成部８２１ｃは、ユーザの音声を検知すると音声データを生成し、更に文字認識により文字データを生成するものとした。しかし、それ以外にも、例えばユーザが予めＲＯＭ２２ｃなどのメモリ部に所定の文字データを登録し、その文字データを第三の生成部８２１ｃがユーザの音声を検知したときにメモリ部から読み出すように変形しても良い。
【０１４５】
なお、無線ＬＡＮ通信制御部８２ｃ及びＢＬＥ通信制御部８３ｃは、実施例１の第一のデバイス３００ｃの機能ブロック図（図２１参照）において説明済みのため、ここでの説明は省略する。
【０１４６】
（実施例３の第三のデバイス３００ｃの接続動作）
実施例３の第三のデバイス３００ｃの無線ＬＡＮへの接続動作では、実施例１に示す接続動作（図２２参照）の主にステップＳ６４〜Ｓ６８において次の処理を行う。
【０１４７】
ステップＳ６４において、第三の生成部８２１ｃは、表示部２４ｃの表示画面に無線ＬＡＮへの接続の申請を行う旨のメッセージ情報と申請開始ボタンとを表示する（図２３参照）。ユーザが申請開始のボタンを押下すると、第三の生成部８２１ｃは、その後の一定期間、マイクロホン部２５ｃから音声を入力して音声データを生成し、更に音声データを申請用の文字データに変換してＲＡＭ２３ｃに保存する。この一定期間に、ユーザはマイクロホン部２５ｃに向かって申請のための所定の言葉、例えば「無線ＬＡＮへの接続を申請します」などと発する。
【０１４８】
ステップＳ６５において、第三の生成部８２１ｃは申請データとして上記申請用の文字データの送信を依頼し、ＢＬＥ通信制御部８３ｃが申請データを第二の通信範囲制限装置２００に送信する。申請データには、上記申請用の文字データの他、無線ＬＡＮへの接続を申請する申請要求や、第三のデバイス３００ｃのデバイス情報等を含める。
【０１４９】
ステップＳ６６において、第二の通信範囲制限装置２００は第三のデバイス３００ｃから送信された申請データをＢＬＥ通信により受信し、申請データに基づく許可／拒否の判断を第一のデバイス３００ａにＢＬＥ通信により依頼する。第二の通信範囲制限装置２００は、その依頼の際に、申請データに含まれる第三のデバイス３００ｃの機種や申請用の文字データを依頼命令に組み込み、第一のデバイス３００ａに送信する。
【０１５０】
ステップＳ６７において、第一のデバイス３００ａは、申請用の文字データを表示する。具体的に、第一のデバイス３００ａは、第二の通信範囲制限装置２００から送信された依頼データをＢＬＥ通信部３２ａで受信する。第三の判断部８２０ａは、依頼データの受信をＢＬＥ通信制御部８３ａからの通知により検出する。第三の判断部８２０ａは、依頼データを検出すると、例えば依頼データに含まれる第三のデバイス３００ｃの機種名や、申請用の文字データや、許可又は拒否の選択ボタン等を表示する（図３１参照）。
【０１５１】
ステップＳ６８において、第一のデバイス３００ａは接続の許可又は拒否を示す信号をＢＬＥ通信により第二の通信範囲制限装置２００に送信する。具体的に、第一のデバイス３００ａのユーザは、文字データが所定の文字列、本例では「無線ＬＡＮへの接続を申請します」であった場合に、許可ボタンを押下する。第三の判断部８２０ａは、その入力を検出すると、接続の許可を示す信号を第二の通信範囲制限装置２００に送信するようにＢＬＥ通信制御部８３ａに指示する。これにより、ＢＬＥ通信制御部８３ａは、ＢＬＥ通信部３２ａを介して第二の通信範囲制限装置２００に接続許可信号を送信する。
【０１５２】
（スマートフォンの表示画面例）
図３１は、ステップＳ６７において実施例３の第一のデバイス３００ａの表示画面に表示する画面情報の一例を示す図である。図３１においては、画面情報Ｇ４に、機種名を示す情報Ｊ２と、申請用の文字データＪ２３と、許可ボタンＢ２、拒否ボタンＢ３を設けている。
【０１５３】
（実施例３の効果）
以上では、所定の動作として、ユーザが第三のデバイス３００ｃに音声を吹き込み、この動作により得られた音声の文字データを管理者側で確認できるようにした。これにより、管理者は、文字の内容が予め決められた内容であるかを確認し、予め決められた内容とは異なる場合に例えば部外者や接続する意思のない者と判断し、その接続を拒否することができる。
【０１５４】
「実施例４」
実施例４では、ユーザ（申請者）が表示画面上を所定のパターンでなぞり、ユーザ（申請者）によりなぞられたパターンを管理者が第一のデバイス３００ａで確認することにより接続の許可／拒否を判断する態様を示す。
【０１５５】
実施例４も、実施例２、３と同様、主に第一のデバイス３００ａと第三のデバイス３００ｃの機能ブロックの構成が実施例１と異なる。従って、ここにおいても主に機能ブロックや、それに伴う接続動作等について説明する。
【０１５６】
（実施例４の第一のデバイス３００ａのソフトウェア構成）
図３２は、実施例４の第一のデバイス３００ａのＣＰＵ２１ａの機能ブロック図である。図３２に示すように、実施例４の第一のデバイス３００ａは、第四の判断部８３０ａ、無線ＬＡＮ通信制御部８２ａ、及びＢＬＥ通信制御部８３ａとして機能する。
【０１５７】
第四の判断部８３０ａは、主に、実施例１の第一の判断部８００ａが扱うアニメーションデータとは異なる種類のデータを扱うところが異なる。具体的に、第四の判断部８３０ａは、第三のデバイス３００ｃで生成された申請用のパターン画像を受け付け、そのパターン画像を表示部２４ａの表示画面に表示させる。そして、第四の判断部８３０ａは、パターン画像の表示と共に第一のデバイス３００ａのユーザから許可又は拒否を示す情報の入力を受け付ける。なお、無線ＬＡＮ通信制御部８２ａ及びＢＬＥ通信制御部８３ａは、実施例１の第一のデバイス３００ａの機能ブロック図（図２０参照）において説明済みのため、ここでの説明は省略する。
【０１５８】
（実施例４の第三のデバイス３００ｃのソフトウェア構成）
図３３は、実施例４の第三のデバイス３００ｃのＣＰＵ２１ｃの機能ブロック図である。図３３に示すように、実施例４の第三のデバイス３００ｃは、第四の生成部８３１ｃ、無線ＬＡＮ通信制御部８２ｃ、及びＢＬＥ通信制御部８３ｃとして機能する。
【０１５９】
第四の生成部８３１ｃは、接続の許可を要求する申請要求と、許可判断データとしてパターン画像とを生成する。具体的に、第四の生成部８３１ｃは、第三のデバイス３００ｃの表示部２４ｃに設けられたタッチパネルにおけるユーザの所定のタッチ操作を検知する。この検知により、ユーザがタッチパネルに対して指で描いた線図、例えば図形や文字などを連続する位置情報として受け付け、その入力データを画像データに変換してパターン画像を生成する。ここで、第四の生成部８３１ｃは、タッチパネルにおけるユーザの所定のタッチ操作を検知すると、その走査で描いた線図をパターン画像として生成するものとした。しかし、それ以外にも、例えばユーザが予めＲＯＭ２２ｃなどのメモリ部に所定のパターン画像を登録し、そのパターン画像を第四の生成部８３１ｃがユーザの所定のタッチ操作を検知したときにメモリ部から読み出すように変形しても良い。
なお、無線ＬＡＮ通信制御部８２ｃ及びＢＬＥ通信制御部８３ｃは、実施例１の第一のデバイス３００ｃの機能ブロック図（図２１参照）において説明済みのため、ここでの説明は省略する。
【０１６０】
（実施例４の第三のデバイス３００ｃの接続動作）
実施例４の第三のデバイス３００ｃの無線ＬＡＮへの接続動作では、実施例１に示す接続動作（図２２参照）の主にステップＳ６４〜Ｓ６８において次の処理を行う。
【０１６１】
ステップＳ６４において、第四の生成部８３１ｃは、表示部２４ｃの表示画面に無線ＬＡＮへの接続の申請を行う旨のメッセージ情報と申請開始ボタンとを表示する（図２３参照）。ユーザが申請開始のボタンを押下すると、第四の生成部８３１ｃは、その後の一定期間、タッチパネルからの入力を受け付け、タッチパネルから入力される位置情報を結んでなる線図を画像（パターン画像）として生成してＲＡＭ２３ｃに保存する。この一定期間に、ユーザは指でタッチパネル上に申請のための所定の線図を描く。
【０１６２】
ステップＳ６５において、第四の生成部８３１ｃは申請データとして上記パターン画像の送信を依頼し、ＢＬＥ通信制御部８３ｃが申請データを第二の通信範囲制限装置２００に送信する。申請データには、上記パターン画像の他、無線ＬＡＮへの接続を申請する申請要求や、第三のデバイス３００ｃのデバイス情報等を含める。
【０１６３】
ステップＳ６６において、第二の通信範囲制限装置２００は第三のデバイス３００ｃから送信された申請データをＢＬＥ通信により受信し、申請データに基づく許可／拒否の判断を第一のデバイス３００ａにＢＬＥ通信により依頼する。第二の通信範囲制限装置２００は、その依頼の際に、申請データに含まれる第三のデバイス３００ｃの機種やパターン画像を依頼命令に組み込み、第一のデバイス３００ａに送信する。
【０１６４】
ステップＳ６７において、第一のデバイス３００ａは、パターン画像を表示する。具体的に、第一のデバイス３００ａは、第二の通信範囲制限装置２００から送信された依頼データをＢＬＥ通信部３２ａで受信する。第四の判断部８３０ａは、依頼データの受信をＢＬＥ通信制御部８３ａからの通知により検出する。第四の判断部８３０ａは、依頼データを検出すると、例えば依頼データに含まれる第三のデバイス３００ｃの機種名や、パターン画像や、許可又は拒否の選択ボタン等を表示する（図３４参照）。
【０１６５】
ステップＳ６８において、第一のデバイス３００ａは接続の許可又は拒否を示す信号をＢＬＥ通信により第二の通信範囲制限装置２００に送信する。具体的に、第一のデバイス３００ａのユーザは、パターン画像が所定のパターンであった場合に、許可ボタンを押下する。第四の判断部８３０ａは、その入力を検出すると、接続の許可を示す信号を第二の通信範囲制限装置２００に送信するようにＢＬＥ通信制御部８３ａに指示する。これにより、ＢＬＥ通信制御部８３ａは、ＢＬＥ通信部３２ａを介して第二の通信範囲制限装置２００に接続許可信号を送信する。
【０１６６】
（スマートフォンの表示画面例）
図３４は、ステップＳ６７において実施例４の第一のデバイス３００ａの表示画面に表示する画面情報の一例を示す図である。図３４においては、画面情報Ｇ５に、機種名を示す情報Ｊ２と、パターン画像Ｊ３３と、許可ボタンＢ２、拒否ボタンＢ３を設けている。
【０１６７】
（実施例４の効果）
以上では、所定の動作として、ユーザが第三のデバイス３００ｃの表示画面を指でなぞり、この動作により得られたパターン画像を管理者側で確認できるようにした。これにより、管理者は、パターン画像が予め決められたパターン画像であるかを確認し、予め決められたものとは異なる場合に例えば部外者や接続する意思のない者と判断し、その接続を拒否することができる。また、ＢＬＥ通信エリアのような狭いエリアであれば、接続を申請するユーザと管理者との距離は近い。このため、管理者は、接続を申請するユーザが第三のデバイス３００ｃの表示画面をなぞる様子を目視により確認し、更にその動作により得られるパターン画像を自機（第一のデバイス３００ａ）で確認できる。管理者は接続を申請するユーザの動作を直接的に確認することができるので、申請を行った人物を特定し、人物確認で拒否することも可能となる。
【０１６８】
「実施例５」
実施例１の無線ＬＡＮ通信システムでは、ＢＬＥ通信エリアに入場した機器を無線ＬＡＮに接続させるか否かの判断を、ＢＬＥ通信エリア内の他のユーザ（管理者）に行わせるための態様を示した。
【０１６９】
実施例５の無線ＬＡＮ通信システムでは、第二の通信範囲制限装置２００が他のユーザを介さずに自動で接続許可又は接続拒否の判断を行う態様について示す。
【０１７０】
実施例５の無線ＬＡＮ通信システムでは、実施例１に示す無線ＬＡＮ通信システム（図３参照）の第一のデバイス３００ａは単に無線ＬＡＮ通信回線が確立されたスマートフォンに変わる。実施例５では、第二の通信範囲制限装置２００は、ＢＬＥ通信エリア２５０への入場者に見やすい位置に配置するなどして、第一のデバイス３００ａに代わって無線ＬＡＮへの接続の判断を自機で行い、通信装置の接続を制限する。
【０１７１】
従って、無線ＬＡＮへの接続は、第一の通信範囲制限装置１００、第二の通信範囲制限装置２００、及び第三のデバイス３００ｃによって実施する。以下では、実施例１と構成の異なるもの、特に第二の通信範囲制限装置２００及び第三のデバイス３００ｃについて説明し、実施例１と重複する箇所の説明は適宜省略する。
【０１７２】
（実施例５の第二の通信範囲制限装置２００のハードウェア構成）
実施例５の第二の通信範囲制限装置２００は実施例１に示すハードウェアの構成（図１５参照）に更にＵＩ（User  Interface）として表示部を備えたものである。
図３５は、第二の通信範囲制限装置２００のハードウェアの構成図である。図３５に示すように、実施例５の第二の通信範囲制限装置２００は表示部８５０を備えている。表示部８５０は、例えば液晶等の表示ディスプレイなどにより構成される。また、ＲＯＭ１２２にはＢＬＥ通信制御プログラムＰ４が記憶されている。無線ＬＡＮ通信制御プログラムＰ４は、ＨＤＤ１２４等の他の記憶部に記憶させてもよい。
【０１７３】
（実施例５の第二の通信範囲制限装置２００のソフトウェア構成）
図３６は、実施例５の第二の通信範囲制限装置２００のＣＰＵ１２１の機能ブロック図である。実施例５の第二の通信範囲制限装置２００は、プログラムの実行により、図３６に示す第三のデバイス接続部７５５、第二の周辺機器接続部７６１、離脱検知部７７、及びＢＬＥ通信制御部７９として機能する。
【０１７４】
第三のデバイス接続部７５５は、実施例１に示す処理、例えば第三のデバイス３００ｃに対するアドバタイズメントパケットの送信やＰＩＮコードの送信などを行う。更に、第三のデバイス接続部７５５は、提示部８５１と第五の判断部８５２とを有し、申請データの判断処理等を行う。
【０１７５】
提示部８５１は、無線ＬＡＮに接続するための所定の動作のやり方を示す情報を表示部８５０に提示する。具体的に、第三のデバイス３００ｃの振り方を示す静止画像や動画像などを表示する。
【０１７６】
第五の判断部８５２は、第三のデバイス３００ｃから送信された申請データに基づいて申請を許可するか拒否するかを判断する。
【０１７７】
（実施例５の第三のデバイス３００ｃのソフトウェア構成）
図３７は、実施例５の第三のデバイス３００ｃのＣＰＵ２１ｃの機能ブロック図である。図３７に示すように、実施例５の第三のデバイス３００ｃは、第五の生成部８５１ｃ、無線ＬＡＮ通信制御部８２ｃ、及びＢＬＥ通信制御部８３ｃとして機能する。
【０１７８】
第五の生成部８５１ｃは、自機がＢＬＥ通信エリア内に位置している場合に、自機を無線ＬＡＮに接続するための申請データを生成する。ここでは、申請先で許可するか否かの判断に用いる許可判断データとして、ユーザが第三のデバイス３００ｃを振ったときの加速度データを生成する。具体的に、第五の生成部８５１ｃは、第三のデバイス３００ｃの加速度を加速度検出部１３１ｃからデータで取得し、加速度が所定の閾値を超えた場合に、ユーザが自機に対して所定の動作を行ったことを検知する。そして、第五の生成部８５１ｃは、その内の最高加速度のデータをＲＡＭ２３ｃに保存する。
【０１７９】
なお、無線ＬＡＮ通信制御部８２ｃ及びＢＬＥ通信制御部８３ｃは、実施例１の第一のデバイス３００ｃの機能ブロック図（図２１参照）において説明済みのため、ここでの説明は省略する。
【０１８０】
実施例５の第一の通信範囲制限装置１００は、ハードウェア構成と機能ブロックと共に実施例１に示すものと同様であるため、ここでの説明は省略する。
【０１８１】
（実施例５の第三のデバイス３００ｃの接続動作）
次に、実施例５の第三のデバイス３００ｃの無線ＬＡＮ通信回線への接続動作について説明する。
図３８は、実施例５の第三のデバイス３００ｃがＢＬＥ通信エリア２５０内に入場した場合の、無線ＬＡＮ通信回線の確立の流れを示すシーケンス図である。
【０１８２】
先ず、実施例５の第二の通信範囲制限装置２００が送信したアドバタイズメントパケットを実施例５の第三のデバイス３００ｃが受信する（Ｓ９１）。
【０１８３】
次に、実施例５の第三のデバイス３００ｃが実施例５の第二の通信範囲制限装置２００に対して応答情報を返信する（Ｓ９２）。
【０１８４】
続いて、実施例５の第二の通信範囲制限装置２００の提示部８５１が、無線ＬＡＮ通信回線への接続を申請するための所定の動作情報を表示部８５０に表示する（Ｓ９３）。具体的に、実施例５の第二の通信範囲制限装置２００の提示部８５１は、所定の動作情報として実施例５の第三のデバイス３００ｃの振り方を示す静止画像又は動画像を表示部８５０に表示する。
【０１８５】
図３９は、実施例５の第二の通信範囲制限装置２００の表示部８５０に表示する画面情報の一例を示す図である。図３９に示すものは、実施例５の第三のデバイス３００ｃの振り方を示す動画像を表示させる場合の例である。図３９に示すように、画面情報Ｇ６に、動画像エリアＪ５３と説明欄Ｊ５４とを設け、予め撮影するなどして用意したデバイスの振り方を示す動画像を動画像エリアＪ５３において再生する。
【０１８６】
続いて、実施例５の第三のデバイス３００ｃにおいて許可判断データとしての動作情報を生成し、その動作情報を実施例５の第二の通信範囲制限装置２００に送信する（Ｓ９４）。具体的に、実施例５の第三のデバイス３００ｃのユーザは、実施例５の第二の通信範囲制限装置２００で再生された動画像を参考に、自機（実施例５の第三のデバイス３００ｃ）を左右に高速に振る。この間、第五の生成部８５１ｃは、加速度検出部１３１ｃから加速度データを取得することによりユーザによる所定の動作を検知し、その内の最高加速度のデータをＲＡＭ２３ｃに保存する。そして、第五の生成部８５１ｃは、申請を行うための申請データの送信をＢＬＥ通信制御部８３ｃに依頼し、ＢＬＥ通信制御部８３ｃがＢＬＥ通信部３２ｃを介してその申請データを実施例５の第二の通信範囲制限装置２００に送信する。申請データには、無線ＬＡＮ通信回線への接続を申請する申請要求や、加速度データや、実施例５の第三のデバイス３００ｃのデバイス情報等を含める。
【０１８７】
次に、実施例５の第二の通信範囲制限装置２００は第三のデバイス３００ｃから送信された申請データに基づいて許可又は拒否の判断処理を行う（Ｓ９５）。具体的に、第二の通信範囲制限装置２００は、第三のデバイス３００ｃから送信された申請データをＢＬＥ通信部１２６で受信する。第五の判断部８５２は申請データをＢＬＥ通信制御部７９からの通知により検出し、申請データから加速度データを取り出す。第五の判断部８５２は、その加速度データから許可又は拒否の判断を行う。例えば、加速度データが所定の加速度を超える値である場合に許可とする。
【０１８８】
ステップＳ９５で第五の判断部８５２が許可とする判断を下すと、続いて、実施例５の第二の通信範囲制限装置２００はセットアップ情報をＢＬＥ通信により第三のデバイス３００ｃに送信する（Ｓ９６）。ステップＳ９６〜Ｓ１００の処理は、実施例１に示すステップＳ６９〜ステップＳ７３（図２２参照）の処理にそれぞれ対応するので、これ以上の説明は省略する。
【０１８９】
こうして実施例５の第三のデバイス３００ｃ及び実施例５の第一の通信範囲制限装置１００が、ＰＩＮコードを用いたＷＰＳ方式により無線ＬＡＮ接続される。
【０１９０】
（印刷動作）
無線ＬＡＮ通信回線へ接続した実施例５の第三のデバイス３００ｃが印刷を行う動作は、図１０、図１１に示す流れに対応する。繰り返しとなるため、ここでの説明は省略する。
【０１９１】
（切断動作）
実施例５の第三のデバイス３００ｃの無線ＬＡＮからの切断は、図２５に示す流れに対応する。繰り返しとなるため、ここでの説明は省略する。
【０１９２】
以上に示す実施例５の無線ＬＡＮ通信システムでは、デバイスを振る動作を、無線ＬＡＮへの接続を申請するための動作として示した。しかし、その申請動作はこれに限らず、実施例２〜実施例４に示すそれぞれの所定の動作や、それらの組み合わせなどを適用しても良い。例えば、実施例４に示す、ユーザがパターンをなぞる動作を適用する場合、提示部８５１により、表示画面のなぞり方を示す情報を表示させる（図４０参照）。そして、ユーザは、その表示の通りに、第三のデバイス３００ｃ（自分の通信装置）の表示画面をなぞることにより、自機で申請データを生成する。実施例５の第二の通信範囲制限装置２００では、その申請データを受信し、第五の判断部８５２が例えば所定のパターン画像との一致度を算出し、所定の一致度を上回った場合などに許可の判断を下す。
【０１９３】
（第二の通信範囲制限装置２００の表示画面例）
図４０は、表示部８５０になぞり方を示す情報を表示する画面情報の一例を示す図である。図４０に示すように、画面情報Ｇ７に、なぞり方の説明図Ｊ６３とその説明欄Ｊ６４とを設ける。説明図Ｊ６３には、なぞり方を示す画像等を表示する。
【０１９４】
（実施例５の効果）
以上では、第二の通信範囲制限装置２００が他のユーザを介さずに自動で接続許可又は接続拒否の判断を行うようにした。これにより、第二の通信範囲制限装置２００が無線ＬＡＮへの接続を管理する管理装置に、更に判断装置を兼任するため、ＢＬＥ通信エリア内において最低１台の機器を無線ＬＡＮに接続して判断装置として設ける構成を省略することができる。また、無線ＬＡＮへ接続するための所定の動作が表示画面に表示されるため、無線ＬＡＮに接続する意思のあるものは誰でも、その表示画面の内容に従って動作を行うことにより、無線ＬＡＮに接続することができる。
【０１９５】
（実施形態の変形）
実施形態では、第二の通信範囲制限装置２００がアドバタイズメントパケットにより通信範囲を示す情報を送信し、ＢＬＥ通信エリア２５０内の通信装置にＢＬＥ通信エリア２５０の入場や退場を判断できるようにしたが、この限りではない。例えば、第二の通信範囲制限装置２００からの送信信号の電界強度に基づいてＢＬＥ通信エリア２５０に入場しているか退場しているかを通信装置で判断するようにしても良い。また、実施形態では、第二の通信範囲制限装置２００は通信装置からＢＬＥ通信エリア２５０内の入退場を示す情報を受け取るが、通信装置の入退場を検知するための所定の情報であれば、適宜変形しても良い。
【０１９６】
実施形態では、第一の通信として無線ＬＡＮ通信、第二の通信としてブルートゥース通信を例に挙げたが、第二の通信の通信エリア（第二の範囲）が第一の通信の通信エリア（第一の範囲）よりも狭いものであれば、その他の通信手段を適用しても良い。
【０１９７】
例えば、ブルートゥース通信の代わりに、例えば可聴波に近い周波数の超音波等の所定の周波数の超音波（音声）を用いてもよい。この場合、超音波（音声）の出力レベルを調整することで、第２の通信範囲を簡単に調整できる。また、超音波（音声）は、遮蔽も容易であるため、第三者による盗聴の可能性も極めて低いものとすることができる。
【０１９８】
また、ブルートゥース通信の代わりに、例えば赤外線光、可視光等の所定の波長の光を用いた光通信を用いてもよい。この場合、各デバイスは、発光部を介して所定の波長の光を発光し、他のデバイスからの光を、受光部を介して受光する。この場合においても、発光部から発光する光の出力レベルを調整することで、第２の通信範囲を簡単に調整できる。また、光は、遮蔽も容易であるため、第三者による盗聴の可能性も極めて低いものとすることができる。
【０１９９】
本実施形態で実行されるプログラムは、ＲＯＭやメモリ部などに予め組み込まれて提供するものとしているが、これに限定されるものではない。本実施形態で実行されるプログラムを、コンピュータで読み取り可能な記録媒体に記録してコンピュータプログラムプロダクトとして提供してもよい。例えば、インストール可能な形式または実行可能な形式のファイルで、フレキシブルディスク、ＣＤ−Ｒ、ＤＶＤ（Digital  Versatile  Disk）、ブルーレイディスク（登録商標）、半導体メモリ等の記録媒体に記録して提供してもよい。
【０２００】
また、本実施形態で実行されるプログラムを、インターネット等のネットワークに接続されたコンピュータ上に格納し、ネットワーク経由でダウンロードさせることにより提供するように構成してもよい。また、本実施形態で実行されるプログラムをインターネット等のネットワーク経由で提供または配布するように構成してもよい。
【０２０１】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【０２０２】
（実施形態の効果）
以上の説明から明らかなように、実施形態の無線ＬＡＮ通信システムでは、参加意思のあるユーザの通信装置を無線ＬＡＮに接続し、参加意思のないユーザの通信装置は接続を行わない。このように無線ＬＡＮへ接続する通信装置を制限するため、接続台数が減り、システム上の負荷を低減させることができる。
【符号の説明】
【０２０３】
１        通信範囲制限装置
１００    第一の通信範囲制限装置
１５０    無線ＬＡＮ通信エリア
２００    第二の通信範囲制限装置
２５０    ＢＬＥ通信エリア
３００ａ  第一のデバイス
３００ｂ  第二のデバイス
３００ｃ  第三のデバイス
３００ｄ  第四のデバイス
【先行技術文献】
【特許文献】
【０２０４】
【特許文献１】特許第５３４７４０３号公報
【図１】
0006547411.tif 000002
【図２】
0006547411.tif 000003
【図３】
0006547411.tif 000004
【図４】
0006547411.tif 000005
【図５】
0006547411.tif 000006
【図６】
0006547411.tif 000007
【図７】
0006547411.tif 000008
【図８】
0006547411.tif 000009
【図９】
0006547411.tif 000010
【図１０】
0006547411.tif 000011
【図１１】
0006547411.tif 000012
【図１２】
0006547411.tif 000013
【図１３】
0006547411.tif 000014
【図１４】
0006547411.tif 000015
【図１５】
0006547411.tif 000016
【図１６】
0006547411.tif 000017
【図１７】
0006547411.tif 000018
【図１８】
0006547411.tif 000019
【図１９】
0006547411.tif 000020
【図２０】
0006547411.tif 000021
【図２１】
0006547411.tif 000022
【図２２】
0006547411.tif 000023
【図２３】
0006547411.tif 000024
【図２４】
0006547411.tif 000025
【図２５】
0006547411.tif 000026
【図２６】
0006547411.tif 000027
【図２７】
0006547411.tif 000028
【図２８】
0006547411.tif 000029
【図２９】
0006547411.tif 000030
【図３０】
0006547411.tif 000031
【図３１】
0006547411.tif 000032
【図３２】
0006547411.tif 000033
【図３３】
0006547411.tif 000034
【図３４】
0006547411.tif 000035
【図３５】
0006547411.tif 000036
【図３６】
0006547411.tif 000037
【図３７】
0006547411.tif 000038
【図３８】
0006547411.tif 000039
【図３９】
0006547411.tif 000040
【図４０】
0006547411.tif 000041